(57)【要約】      （修正有）【課題】フラットワイパーブレードを多様なワイパーアームに分離可能に連結する装置を提供する。【解決手段】連結装置は、フラットワイパーブレード９のフレームに固定されるジョイント１１０と、ジョイントにスナップ結合で装着されるブラケット１２０と、ブラケットに装着されるアダプタ１３０を有する。ブラケットはフレームの長手方向に直交する方向に延びてピボットボアが空けられたピボット軸を有する。アダプタは嵌合孔にそれぞれ空けられた一対の側壁部を備え、ブラケットのピボット軸の両端部が嵌合孔にスナップ結合される方式でブラケットに装着される。アダプタはワイパーアームの多様な形状の末端部にいずれも適するように形成される。アダプタとピボット軸を通じて連結装置は一つのフラットワイパーブレードを多様なワイパーアームに分離可能に連結する。【選択図】図７
2010018273.tif 000002
【特許請求の範囲】
【請求項１】
上板１１、１１’と一対の凹部１４ａ、１４ｂ、１４ａ’、１４ｂ’を備える第１の結合要素１０、１０’、フック部２１を備える第２の結合要素２０、上板３１と一対の側板３２ａ、３２ｂを備える第３の結合要素３０及びサイドピン４１とクリップアーム４２を備える第４の結合要素４０のうち一つを備えたワイパーアーム１、１’、２、３、４にフラットワイパーブレード９、９’を分離可能に連結する装置１００、２００であり、
前記フラットワイパーブレードのフレーム９ｂ、９ｂ’に結合するジョイント１１０と、
一対の離隔された垂直壁部１２２ａ、１２２ｂ、２２２ａ、２２２ｂと前記垂直壁部の上部に位置してピボットボア１２３ａ、２２３ａが形成されたピボット軸１２３、２２３とを備え、前記ジョイントに装着されるブラケット１２０、２２０と、
嵌合孔１３４ａ、１３４ｂ、２３４ａ、２３４ｂがそれぞれ形成された一対の側壁部１３１、１３２、２３１、２３２と前記側壁部を互いに連結して前記嵌合孔の前方に位置する第１の連結部１３３ａ、２３３ａとを備え、前記ブラケットのピボット軸の両端部が前記嵌合孔にそれぞれ嵌合されて前記ブラケットに回動可能に結合するアダプタ１３０、２３０とを備え、
前記アダプタは、
前記第１の結合要素の凹部を前記側壁部に位置させて前記第１の結合要素の上板を前記側壁部に固定させる第１のロッキング装置１３１ｄ、１３２ｄ、１４０、１４２ａ、１４２ｂ、２３１ｅ、２３２ｅ、２４０、２４２ａと、
前記第２の結合要素のフック部を前記側壁部の間で前記第１の連結部に対してロッキングする第２のロッキング装置１３１ａ、１３２ａ、１３６ａ、１３６ｂ、２３１ａ、２３２ａ、２３６ａ、２３８ｂと、
前記側壁部それぞれの外面に形成されて前記第３の結合要素の側板間に嵌合されるスライドレール１３７ａ、１３７ｂ、２３７ａ、２３７ｂとを備え、
前記第４の結合要素のサイドピンは前記ピボットボアに挿入されて回動可能なことを特徴とする、フラットワイパーブレードとワイパーアームとの連結装置。
【請求項２】
前記第１のロッキング装置は、前記側壁部の前方端部に回動可能に結合するカバー１４０、２４０と、前記カバーを前記アダプタにロッキングするカバーロッキング装置１３１ｄ、１３２ｄ、１４２ａ、１４２ｂ、２３１ｅ、２３２ｅ、２４２ａと、前記側壁部のうち少なくとも一つの後方端部に形成されて前記第１の結合要素の凹部に挿入可能なピボット突起１３５ｃ、１３５ｄ、２３５ｃとを備えることを特徴とする、請求項１に記載のフラットワイパーブレードとワイパーアームとの連結装置。
【請求項３】
前記カバーロッキング装置は、前記カバーの対面する内面にそれぞれ形成されたラッチ突起１４２ａ、１４２ｂと、前記側壁部にそれぞれ形成されて前記ラッチ突起が結合するロッキングバー１３１ｄ、１３２ｄとを備えることを特徴とする、請求項２に記載のフラットワイパーブレードとワイパーアームとの連結装置。
【請求項４】
前記側壁部は下端から外側へ突出したカバー保持突起１３１ｆ、１３２ｆを備え、
前記カバーの下端部は前記カバー保持突起と前記側壁部との間に嵌められることを特徴とする、請求項３に記載のフラットワイパーブレードとワイパーアームとの連結装置。
【請求項５】
前記第２のロッキング装置は、前記側壁部に対面する内面に前記第１の連結部に隣接するようにそれぞれ形成される第２のロッキング突起１３６ａ、１３６ｂ、２３６ａ、２３６ｂを備えることを特徴とする、請求項２に記載のフラットワイパーブレードとワイパーアームとの連結装置。
【請求項６】
前記側壁部のそれぞれは、上端一部が切り欠かれて形成されるクランピングバー１３１ａ、１３２ａ、２３１ａ、２３２ａを備え、
前記第２のロッキング突起は前記クランピングバーの対面する面にそれぞれ形成され、
前記第２の結合要素のフック部の内面２１ｂが前記第１の連結部に接触する時に前記第２のロッキング突起が前記クランピングバーの弾性変形により前記フック部の外面２１ａに係合することを特徴とする、請求項５に記載のフラットワイパーブレードとワイパーアームとの連結装置。
【請求項７】
前記カバーは、対面する内面に前記カバーが前記アダプタにロッキングされる時に前記クランピングバーに隣接するように位置して前記クランピングバーの外側変形を防止する要素１４４ａ、１４４ｂ、２４４ａ、２４４ｂをそれぞれ備えることを特徴とする、請求項６に記載のフラットワイパーブレードとワイパーアームとの連結装置。
【請求項８】
前記第１の結合要素は、前記上板１１、１１’から延びる舌部１３、１３’をさらに備え、
前記第１のロッキング装置は、前記嵌合孔前方で前記側壁部の対面する内面にそれぞれ形成された第１のロッキング突起２３５ａ、２３５ｂをさらに備え、
前記第１の結合要素の凹部１４ｂ、１４ｂ’に前記ピボット突起２３５ｃが挟まれて前記アダプタが前記第１の結合要素に回動されて前記舌部が前記第１のロッキング突起にロッキングされることを特徴とする、請求項２に記載のフラットワイパーブレードとワイパーアームとの連結装置。
【請求項９】
前記第３の結合要素は、前記上板３１に開口部３１ａを備え、
前記アダプタは、前記側壁部を互いに連結して前記嵌合孔の後方に位置する第２の連結部１３３ｂ、２３３ｂと、前記第２の連結部に形成された弾性バー１３７ｆと、前記弾性バーの自由端に形成されて前記開口部にラッチ結合するラッチ突起１３７ｅとをさらに備えることを特徴とする、請求項１に記載のフラットワイパーブレードとワイパーアームとの連結装置。
【請求項１０】
前記ジョイント１１０は、前記フレームを介して相互結合する第１の半部１１０ａと第２の半部１１０ｂから構成され、
前記第１の半部と第２の半部のうち一方は固定要素１１２ａ、１１３ａを備え、他方は前記固定要素に係合される係合要素１１２ｂ、１１３ｂを備え、
前記固定要素と係合要素との係合により前記第１の半部と第２の半部が相互結合することを特徴とする、請求項１に記載のフラットワイパーブレードとワイパーアームとの連結装置。
【請求項１１】
前記ブラケットは、前方端部に前記側壁部間に挿入可能に突出したリッジ部１２１ｄ、２２１ｄを備え、
前記アダプタは、前記側壁部の後方端部に位置して前記ブラケットの垂直壁部の間に挿入可能に形成された第４の連結部１３３ｄ、２３３ｄをさらに備えることを特徴とする、請求項１に記載のフラットワイパーブレードとワイパーアームとの連結装置。
【請求項１２】
舌部１３、１３’と一対の凹部１４ａ、１４ｂ、１４ａ’、1４ｂ’を備える第１の結合要素１０、１０’、フック部２１を備える第２の結合要素２０、上板３１と一対の側板３２ａ、３２ｂを備える第３の結合要素３０、サイドピン４１とクリップアーム４２を備える第４の結合要素４０及びピン５１と前記ピン５１に形成された環状溝５２を備える第５の結合要素５０のうち一つを備えたワイパーアーム１、１’、２、３、４、５にフラットワイパーブレード９、９’を分離可能に連結する装置２００であり、
前記フラットワイパーブレードのフレーム９ｂ、９ｂ’に結合するジョイント２１０と、
一対の離隔された垂直壁部２２２ａ、２２２ｂと前記垂直壁部の上部に位置してピボットボア２２３ａが形成されたピボット軸２２３とを備え、前記ジョイントに装着されるブラケット２２０と、
嵌合孔２３４ａ、２３４ｂがそれぞれ形成された一対の側壁部２３１、２３２と前記側壁部を互いに連結して前記嵌合孔の前方に位置する第１の連結部２３３ａと前記嵌合孔の後方に位置する第２の連結部２３３ｂとを備え、前記ブラケットのピボット軸の両端部が前記嵌合孔にそれぞれ嵌合されて前記ブラケットに回動可能に結合するアダプタ２３０を備え、
前記アダプタは、
前記第１の結合要素の凹部を前記側壁部に位置させて前記第１の結合要素の舌部を前記側壁部にロッキングさせる第１のロッキング装置２３５ａ、２３５ｂ、２３５ｃと、
前記第２の結合要素のフック部を前記側壁部の間で前記第１の連結部に対してロッキングする第２のロッキング装置２３１ａ、２３２ａ、２３６ａ、２３６ｂと、
前記側壁部それぞれの外面に形成されて前記第３の結合要素の側板間に嵌合されるスライドレール２３７ａ、２３７ｂ及び前記側壁部のうち一つの後方端部に形成されて前記第３の結合要素の側板のうち一つの後方端部に弾性的にかかるラッチングレバー２３７ｅと、
前記第５の結合要素のピンを前記側壁部に横に固定させて前記第５の結合要素の環状溝を前記側壁部にロッキングさせる第５のロッキング装置２３８ａ、２３８ｂ、２３８ｃとを備え、
前記第４の結合要素のサイドピンは前記ピボットボアに挿入されて回動可能なことを特徴とする、フラットワイパーブレードとワイパーアームとの連結装置。
【請求項１３】
前記第１のロッキング装置は、前記側壁部の対面する内面にそれぞれ形成された第１のロッキング突起２３５ａ、２３５ｂと前記側壁部のうち一つの後方端部に形成されたピボット突起２３５ｃを備え、
前記第１の結合要素の凹部１４ｂ、１４ｂ’に前記ピボット突起が嵌められて挟まれて前記アダプタが前記第１の結合要素に回動されて前記舌部が前記第１のロッキング突起にロッキングされることを特徴とする、請求項１２に記載のフラットワイパーブレードとワイパーアームとの連結装置。
【請求項１４】
前記第２のロッキング装置は、前記側壁部に対面する内面に前記第１の連結部に隣接するようにそれぞれ形成される第２のロッキング突起２３６ａ、２３６ｂを備えることを特徴とする、請求項１３に記載のフラットワイパーブレードとワイパーアームとの連結装置。
【請求項１５】
前記側壁部のそれぞれは、上端一部が切り欠かれて形成され、前記側壁部の内外側への弾性変形可能なクランピングバー２３１ａ、２３２ａを備え、
前記第２のロッキング突起は前記クランピングバーの対面する面にそれぞれ形成され、
前記第２の結合要素のフック部の内面２１ｂが前記第１の連結部に接触する時に前記第２のロッキング突起が前記クランピングバーの弾性変形により前記フック部の外面２１ａに係合することを特徴とする、請求項１４に記載のフラットワイパーブレードとワイパーアームとの連結装置。
【請求項１６】
前記側壁部の前方端部に回動可能に結合し、前記第１の結合要素の一部と前記第２の結合要素の一部とを覆うように形成されたカバー２４０と、
前記カバー２４０を前記アダプタにロッキングさせるためのカバーロッキング装置２３１ｅ、２３２ｅ、２４２ａをさらに備えることを特徴とする、請求項１５に記載のフラットワイパーブレードとワイパーアームとの連結装置。
【請求項１７】
前記カバーは、前記カバーの内面に配置されて前記カバーが前記アダプタにロッキングされる時、前記第１のロッキング突起が位置した前記側壁部の一部の外面と前記クランピングバーの外面とに隣接するように形成された支持板２４４ａ、２４４ｂを備えることを特徴とする、請求項１６に記載のフラットワイパーブレードとワイパーアームとの連結装置。
【請求項１８】
前記第５のロッキング装置は、前記側壁部のそれぞれに前記嵌合孔に隣接するように形成され、前記第５の結合要素のピンが通過可能なベアリング孔２３８ａ、２３８ｂと、前記側壁部の間に配置されて前記第５の結合要素の環状溝に弾性的にかかるラッチング要素２３８ｃ、２３８ｄとを備えることを特徴とする、請求項１２に記載のフラットワイパーブレードとワイパーアームとの連結装置。
【請求項１９】
前記ラッチング要素は、前記第２の連結部から延びるラッチングバー２３８ｄと、前記ラッチングバー２３８ｄに配置されて前記環状溝に弾性的に係合可能なラッチ部２３８ｃとを備えることを特徴とする、請求項１８に記載のフラットワイパーブレードとワイパーアームとの連結装置。
【請求項２０】
前記ジョイントは、一対のフレーム支持レッグ２１１ａ、２１１ｂを備え、
前記ジョイントと前記フレームとは、前記フレームが前記フレーム支持レッグ間で嵌合されて固定されることを特徴とする、請求項１２に記載のフラットワイパーブレードとワイパーアームとの連結装置。
【発明の詳細な説明】
【技術分野】
【０００１】
本発明は、ワイパーブレードに装着されてワイパーブレードをワイパーアームに分離可能に連結する装置に関する。特に、本発明は、フラットワイパーブレードをいくつかの類型のワイパーアームに分離可能に連結する装置に関する。
【背景技術】
【０００２】
自動車には、ウインドシールド（ｗｉｎｄｓｈｉｅｌｄ）の表面をふきとるためのワイパー装置が通常設けられる。ワイパー装置は、例えば、駆動モータと、ワイパーアームと、ウインドシールドの表面に位置するワイパーブレードを備える。
【０００３】
駆動モータは、往復回動を発生させるように機能する。ワイパーアームは基端部で駆動モータの回動軸に結合する。ワイパーブレードはワイパーアームの末端部に分離可能に結合する。ワイパーアームの基端部にはワイパーアームの末端部をウインドシールド側に加圧する要素が設けられる。従って、ワイパーブレードはワイパーアームの加圧力下でウインドシールドの表面に密着し、駆動モータの往復回動によってウインドシールドの表面をスライドしながらウインドシールドの表面をふきとる。
【０００４】
ワイパーブレードは、ウインドシールドの表面に接触する長いワイピングストリップと、ワイピングストリップをその長手方向に沿って固定及び支持するフレーム部材を備える。フレーム部材は複数のレバーを有する組立体で構成されることもある。
【０００５】
最近、ワイパーブレードのフレーム部材として、薄くて長いバー形態の一つのフレームを用いるワイパーブレードが用いられている。このようなワイパーブレードは当該分野にフラットワイパーブレード（ｆｌａｔ ｗｉｐｅｒ ｂｌａｄｅ）またはフラットバーワイパーブレード（ｆｌａｔ ｂａｒ ｗｉｐｅｒ ｂｌａｄｅ）として知られている。フラットワイパーブレードは、ワイパー装置の全体高さを低くすることができ、均一の荷重でワイピングストリップをウインドシールドの表面に接触させることができる。
【０００６】
フラットワイパーブレードは、フレームの中央部分に連結装置を設け、ワイパーアームの末端部と前記連結装置を直接結合させる方式でワイパーアームに結合させている。ワイパーアームメーカーごとに自社の固有のフラットワイパーブレード用ワイパーアームを市販している。また、それに対応してワイパーアームメーカーまたはワイパー装置メーカーごとに各種ワイパーアームに適した連結装置を市販している。従って、多様なフラットワイパーブレード用ワイパーアームとこれらのそれぞれに適合するように構成された連結装置が当該技術分野で知られている。
【０００７】
図１〜図６は、フラットワイパーブレード用ワイパーアームの例を示す。
【０００８】
図１及び図２に示されたワイパーアームは、その末端部が収容部と収容部の後端に形成された凹部と収容部の先端に突出した舌部（ｔｏｎｇｕｅ）を備えており、“トップロック（ｔｏｐ  ｌｏｃｋ）ワイパーアーム"または“ピンチタブ（ｐｉｎｃｈ  ｔａｂ）ワイパーアーム"として知られている。下記特許文献１及び特許文献２は、トップロックワイパーアームとフラットワイパーブレードの結合を記述している。前記文献によれば、連結装置は舌部１３、１３’を一側に掛けて他側で凹部１４ａ、１４ｂ、１４ａ’、１４ｂ’にスナップ結合される方式でワイパーアーム１、１’に連結される。
【０００９】
図３に示されたワイパーアームは、その末端部がフック形状になっており、“フックワイパーアーム”として知られている。フックワイパーアームは、レバー組立体で構成されるフレーム部材を備えるワイパーブレードにも用いられている。下記特許文献３は、フックワイパーアームとフラットワイパーブレードの結合を記述している。前記文献によれば、連結装置はフック部に係止方式で結合してワイパーアーム２に連結される。
【００１０】
図４に示されたワイパーアームは、その末端部が挿入空間を形成するように構成されており、“バヨネット（ｂａｙｏｎｅｔ）ワイパーアーム”として知られている。下記特許文献４は、バヨネットワイパーアームとフラットワイパーブレードとの結合を記述している。前記文献によれば、連結装置がバヨネットワイパーアーム３の末端部の挿入空間内に嵌合されて互いに連結される。
【００１１】
図５に示されたワイパーアームは、ワイパーアームの末端部にワイパーアームの長手方向に垂直に突出したサイドピン（ｓｉｄｅ ｐｉｎ）とクリップアームとを備えており、“サイドピン（ｓｉｄｅ ｐｉｎ）ワイパーアーム"、“サイドロック（ｓｉｄｅ ｌｏｃｋ）ワイパーアーム"、“スライドピン（ｓｌｉｄｅ ｐｉｎ）ワイパーアーム"として知られている。下記特許文献５は、サイドロックワイパーアームとフラットワイパーブレードとの結合を記述している。前記文献によれば、サイドピン４１を管状要素に貫通させてクリップアーム４２を連結装置にスナップ結合させることにより、連結装置とワイパーアームとが互いに連結される。
【００１２】
図６に示されたワイパーアームは、ワイパーアームの末端部から垂直に延びたピン５１とピンの外周面に形成された環状溝５２とを備え、“ピンワイパーアーム”として知られている。ピンワイパーアームは、レバー組立体で構成されるフレーム部材を備えるワイパーブレードにも用いられている。ピンワイパーアームはピンと環状溝に係合方式で連結装置に連結される。
【先行技術文献】
【特許文献】
【００１３】
【特許文献１】大韓民国公開特許第１０−２００５−００８５１２９号公報
【特許文献２】大韓民国公開特許第１０−２００５−０００７４４６号公報
【特許文献３】大韓民国公開特許第１０−２００５−００３３０４６号公報
【特許文献４】大韓民国登録特許第１０−７２５９８８号公報
【特許文献５】大韓民国公開特許第１０−２００８−００５９２２５号公報
【発明の概要】
【発明が解決しようとする課題】
【００１４】
しかしながら、図１〜図６で例示した多数のワイパーアーム１、１’、２、３、４、５は、各ワイパーアームの末端部の形状に適合するように構成された連結装置を用いてこそフラットワイパーブレードに連結できる。即ち、フラットワイパーブレードに設けられる連結装置がワイパーアームの末端部の形状に応じて多様に準備されなければならない。結局、与えられた形態のワイパーアームに特定される専用の連結装置が必要である。
【００１５】
従って、連結装置を生産するメーカーとしては、ワイパーアーム別に適した多様な連結装置を設計して開発しなければならないため、連結装置を構成する部品の数が増え、それによって開発及び管理の困難があり、製造原価及び物流費用が過大になるという問題がある。また、使用者の立場では、自身の自動車に設けられたワイパーアームの末端部の形状にのみ適用される連結装置を選択しなければならないので、連結装置の選択時に煩わしさと困難を感じるという問題もある。従って、様々な形態のワイパーアームに共通に適用されるように構成されたフラットワイパーブレードとワイパーアームとの連結装置を提供する必要がある。
【００１６】
また、特許文献１及び２に記述された従来技術の連結装置の場合、ワイパーアーム１、１’の凹部１４ａ、１４ｂ、１４ａ’、１４ｂ’に長いバー形態の部品でスナップ結合しているが、このようなバー形態の部品はその構造上凹部との結合が緩くなることもある。即ち、ワイパーアーム１、１’が駆動してフラットワイパーブレードが往復運動する時、前記バー形態の部品がフラットワイパーブレードの内側に曲がって正確な結合がなされず、遊びが発生することがある。また、前記バー形態の部品は連結装置の後方に突出しているので、運搬及び組立時に前記バー形態の部品が折れて破損する可能性が高い。
【００１７】
また、特許文献５に記述された従来技術の連結装置の場合、サイドピン５１が連結装置に対して円滑にピボットできず、フラットワイパーブレードがウインドシールドの表面の曲率に順応しながらウインドシールドの表面に接触することができない。
【００１８】
このように、従来技術の連結装置では、フラットワイパーブレードとワイパーアームがしっかりと結合しなかったりフラットワイパーブレードのピボット運動が円滑でない問題もある。従って、フラットワイパーブレードとワイパーアームを確かに結合させながらフラットワイパーブレードのピボット運動を容易にする連結装置を提供する必要がある。
【００１９】
従って、本発明の課題はフラットワイパーのブレードに設けられてフラットワイパーブレードを複数の類型のワイパーアームに分離可能に連結する連結装置を提供することである。
【００２０】
本発明の他の課題は、前記課題を達成しながらフラットワイパーブレードとワイパーアームをしっかりと結合させて簡単な構造からなるフラットワイパーブレードとワイパーアームの連結装置を提供することである。
【課題を解決するための手段】
【００２１】
前記の課題を解決するために、本図明の例示的一実施例によれば、上板１１、１１’と一対の凹部１４ａ、１４ｂ、１４ａ’、１４ｂ’を備える第１の結合要素１０、１０’、フック部２１を備える第２の結合要素２０、上板３１と一対の側板３２ａ、３２ｂを備える第３の結合要素３０及びサイドピン４１とクリップアーム４２を備える第４の結合要素４０のうち一つを備えたワイパーアーム１、１’、２、３、４にフラットワイパーブレード９、９’を分離可能に連結する装置１００、２００が提供される。
【００２２】
前記連結装置は、前記フラットワイパーブレードのフレーム９ｂ、９ｂ’に結合するジョイント１１０と、一対の離隔された垂直壁部１２２ａ、１２２ｂ、２２２ａ、２２２ｂと前記垂直壁部の上部に位置してピボットボア１２３ａ、２２３ａが形成されたピボット軸１２３、２２３を備え、前記ジョイントに装着されるブラケット１２０、２２０と、嵌合孔１３４ａ、１３４ｂ、２３４ａ、２３４ｂがそれぞれ形成された一対の側壁部１３１、１３２、２３１、２３２と前記側壁部を互いに連結して前記嵌合孔の前方に位置する第１の連結部１３３ａ、２３３ａを備え、前記ブラケットのピボット軸の両端部が前記嵌合孔にそれぞれ嵌合されて前記ブラケットに回動可能に結合するアダプタ１３０、２３０を備える。
【００２３】
前記アダプタは、前記第１の結合要素の凹部を前記側壁部に位置させて前記第１の結合要素の上板を前記側壁部に固定させる第１のロッキング装置１３１ｄ、１３２ｄ、１４０、１４２ａ、１４２ｂ、２３１ｅ、２３２ｅ、２４０、２４２ａと、前記第２の結合要素のフック部を前記側壁部間で前記第１の連結部に対してロッキングする第２のロッキング装置１３１ａ、１３２ａ、１３６ａ、１３６ｂ、２３１ａ、２３２ａ、２３６ａ、２３６ｂと、前記側壁部それぞれの外面に形成されて前記第３の結合要素の側板間に嵌合されるスライドレール１３７ａ、１３７ｂ、２３７ａ、２３７ｂとを備える。前記第４の結合要素のサイドピンは前記ピボットボアに挿入されて回動可能である。
【００２４】
前記第１のロッキング装置は、前記側壁部の前方端部に回動可能に結合するカバー１４０、２４０と、前記カバーを前記アダプタにロッキングするカバーロッキング装置１３１ｄ、１３２ｄ、１４２ａ、１４２ｂ、２３１ｅ、２３２ｅ、２４２ａと、前記側壁部のうち少なくとも一つの後方端部に形成されて前記第１の結合要素の凹部に挿入可能なピボット突起１３５ｃ、１３５ｄ、２３５ｃとを備えることができる。
【００２５】
前記カバーロッキング装置は、前記カバーの対面する内面にそれぞれ形成されたラッチ突起１４２ａ、１４２ｂと前記側壁部にそれぞれ形成されて前記ラッチ突起が結合するロッキングバー１３１ｄ、１３２ｄを備えることができる。
【００２６】
前記側壁部は、下端から外側へ突出したカバー保持突起１３１ｆ、１３２ｆを備えることができ、前記カバーの下端部は前記カバー保持突起と前記側壁部との間に挟まれることができる。
【００２７】
前記第２のロッキング装置は、前記側壁部に対面する内面に前記第１の連結部に隣接するようにそれぞれ形成される第２のロッキング突起１３６ａ、１３６ｂ、２３６ａ、２３６ｂを備えることができる。前記側壁部のそれぞれは上端一部が切り欠かれて形成されるクランピングバー１３１ａ、１３２ａ、２３１ａ、２３２ａを備え、前記第２のロッキング突起は前記クランピングバーの対面する面にそれぞれ形成できる。前記第２の結合要素のフック部の内面２１ｂが前記第１の連結部に接触する時に前記第２のロッキング突起が前記クランピングバーの弾性変形により前記フック部の外面２１ａに係合することができる。
【００２８】
前記カバーは、対面する内面に前記カバーが前記アダプタにロッキングされる時に前記クランピングバーに隣接するように位置して前記クランピングバーの外側変形を防止する要素１４４ａ、１４４ｂ、２４４ａ、２４４ｂをそれぞれ備えることができる。
【００２９】
前記第１の結合要素は前記上板１１、１１’から延びる舌部１３、１３’をさらに備えることができる。この場合、前記第１のロッキング装置は、前記嵌合孔前方で前記側壁部の対面する内面にそれぞれ形成された第１のロッキング突起２３５ａ、２３５ｂをさらに備えることができる。
【００３０】
前記第３の結合要素は、前記上板３１に開口部３１ａを備えるように構成できる。前記アダプタは、前記側壁部を互いに連結して前記嵌合孔の後方に位置する第２の連結部１３３ｂ、２３３ｂと、前記第２の連結部に形成された弾性バー１３７ｆと、前記弾性バーの自由端に形成されて前記開口部にラッチ結合するラッチ突起１３７ｅとをさらに備えることができる。
【００３１】
前記ジョイント１１０は、前記フレームを介して相互結合する第１の半部１１０ａと第２の半部１１０ｂで構成できる。前記第１の半部と第２の半部のうち一方は固定要素１１２ａ、１１３ａを備え、他方は前記固定要素に係合される係合要素１１２ｂ、１１３ｂを備え、前記固定要素と係合要素の係合により前記第１の半部と第２の半部とが相互に結合できる。
【００３２】
前記ブラケットは、前方端部に前記側壁部の間に挿入可能に突出したリッジ部１２１ｄ、２２１ｄを備えることができ、前記アダプタは前記側壁部の後方端部に位置して前記ブラケットの垂直壁部間に挿入可能に形成された第４の連結部１３３ｃ、２３３ｃをさらに備えることができる。
【００３３】
前記の課題を解決するために、本発明のもう一つの例示的実施例によれば、舌部１３、１３’と一対の凹部１４ａ、１４ｂ、１４ａ’、１４ｂ’を備える第１の結合要素１０、１０’、フック部２１を備える第２の結合要素２０、上板３１と一対の側板３２ａ、３２ｂを備える第３の結合要素３０、サイドピン４１とクリップアーム４２を備える第４の結合要素４０及びピン５１と前記ピン５１に形成された環状溝５２を備える第５の結合要素５０のうち一つを備えたワイパーアーム１、１’、２、３、４、５にフラットワイパーブレード９、９’を分離可能に連結する装置２００が提供される。
【００３４】
前記連結装置は、前記フラットワイパーブレードのフレーム９ｂ、９ｂ’に結合するジョイント２１０と、一対の離隔された垂直壁部２２２ａ、２２２ｂと前記垂直壁部の上部に位置してピボットボア２２３ａが形成されたピボット軸２２３を備え、前記ジョイントに装着されるブラケット２２０と、嵌合孔２３４ａ、２３４ｂがそれぞれ形成された一対の側壁部２３１、２３２と前記側壁部を互いに連結して前記嵌合孔の前方に位置する第１の連結部２３３ａと前記嵌合孔の後方に位置する第２の連結部２３３ｂを備え、前記ブラケットのピボット軸の両端部が前記嵌合孔にそれぞれ嵌合されて前記ブラケットに回動可能に結合するアダプタ２３０を備える。
【００３５】
前記アダプタは、前記第１の結合要素の凹部を前記側壁部に位置させて前記第１の結合要素の舌部を前記側壁部にロッキングさせる第１のロッキング装置２３５ａ、２３５ｂ、２３５ｃと、前記第２の結合要素のフック部を前記側壁部の間で前記第１の連結部に対してロッキングする第２のロッキング装置２３１ａ、２３２ａ、２３６ａ、２３６ｂと、前記側壁部それぞれの外面に形成されて前記第３の結合要素の側板間に嵌合されるスライドレール２３７ａ、２３７ｂ及び前記側壁部のうち一つの後方端部に形成されて前記第３の結合要素の側板のうち一つの後方端部に弾性的にかかるラッチングレバー２３７ｅと、前記第５の結合要素のピンを前記側壁部に横に固定させ、前記第５の結合要素の環状溝を前記側壁部にロッキングさせる第５のロッキング装置２３８ａ、２３８ｂ、２３８ｃを備える。前記第４の結合要素のサイドピンは、前記ピボットボアに挿入されて回動可能である。
【００３６】
前記第１のロッキング装置は、前記側壁部の対面する内面にそれぞれ形成された第１のロッキング突起２３５ａ、２３５ｂと前記側壁部のうち一つの後方端部に形成されたピボット突起２３５ｃを備えることができる。前記第１の結合要素の凹部１４ｂ、１４ｂ’に前記ピボット突起が嵌まって前記アダプタが前記第１の結合要素に回動されて前記舌部が前記第１のロッキング突起にロッキングできる。
【００３７】
前記第２のロッキング装置は、前記側壁部に対面する内面に前記第１の連結部に隣接するようにそれぞれ形成される第２のロッキング突起２３６ａ、２３６ｂを備えることができる。前記側壁部のそれぞれは上端一部が切り欠かれて形成されるクランピングバー２３１ａ、２３２ａを備え、前記第２のロッキング突起は前記クランピングバーの対面する面にそれぞれ形成できる。前記第２の結合要素のフック部の内面２１ｂが前記第１の連結部に接触する時に前記第２のロッキング突起が前記クランピングバーの弾性変形により前記フック部の外面２１ａに係合することができる。
【００３８】
前記連結装置２００は、前記側壁部の前方端部に回動可能に結合し、前記第１の結合要素の一部と前記第２の結合要素の一部を覆うように形成されたカバー２４０と、前記カバー２４０を前記アダプタにロッキングさせるためのカバーロッキング装置２３１ｅ、２３２ｅ、２４２ａ、２４２ｂをさらに備えることができる。
【００３９】
前記カバーは、前記カバーの内面に配置されて前記カバーが前記アダプタにロッキングされる時に前記第１のロッキング突起が位置した前記側壁部の一部の外面と前記クランピングバーの外面に隣接するように形成された支持板２４４ａ、２４４ｂを備えることができる。
【００４０】
前記第５のロッキング装置は、前記側壁部のそれぞれに前記嵌合孔に隣接するように形成されて前記第５の結合要素のピンが通過可能なベアリング孔２３８ａ、２３８ｂと前記側壁部との間に配置されて前記第５の結合要素の環状溝に弾性的に係合するラッチング要素２３８ｃ、２３８ｄとを備えることができる。前記ラッチング要素は、前記第２の連結部から延びるラッチングバー２３８ｄと前記ラッチングバー２３８ｄに配置され、前記環状溝に弾性的に係合可能なラッチ部２３８ｃとを備えることができる。
【００４１】
前記ジョイント２１０は、一対のフレーム支持レッグ２１１ａ、２１１ｂを備え、前記ジョイントと前記フレームは前記フレームが前記フレーム支持レッグの間に嵌合されて固定できる。
【発明の効果】
【００４２】
本発明のフラットワイパーブレードとワイパーアームとの連結装置は、一つのフラットワイパーブレードを複数の類型のワイパーアームに共通に適用できるアダプタを用いて複数のワイパーアームに連結する。
【００４３】
アダプタがその前方端部で第１の結合要素に第１のロッキング突起によりロッキングされて後方端部でピボット突起によって支持される方式で相互結合するので、アダプタと第１の結合要素を備えたワイパーアームとの間に簡単で確実な結合が得られる。また、アダプタがワイパーアームの駆動方向で力がかからないように連結されるので、ワイパーアームの駆動中にフラットワイパーブレードとワイパーアームとが分離される可能性がない。
【００４４】
また、アダプタは第２のロッキング装置により第２の結合要素に固定された後、カバーにより第２のロッキング装置の変形が防止されるので、第２の結合要素を末端部に備えたワイパーアームとアダプタとの間に確固たる結合が保持される。
【００４５】
また、アダプタはピボット軸の両端部が嵌合孔に嵌合される方式でブラケットに装着されるので、ブラケットとアダプタとの間に自由なピボット運動と簡単で速やかに結合する構造が達成される。
【図面の簡単な説明】
【００４６】
【図１】従来のトップロックワイパーアームを示す斜視図である。
【図２】従来のもう一つのトップロックワイパーアームを示す斜視図である。
【図３】従来のフックワイパーアームを示す斜視図である。
【図４】従来のバヨネットワイパーアームを示す斜視図である。
【図５】従来のサイドロックワイパーアームを示す斜視図である。
【図６】従来のピンワイパーアームを示す斜視図である。
【図７】本発明のフラットワイパーブレードとワイパーアームの連結装置の第１の実施例を示す分解斜視図である。
【図８】図７に示したジョイントの斜視図である。
【図９】図８に示したジョイントの一半部の正面図である。
【図１０】図８に示したジョイントの他の一半部の正面図である。
【図１１】結合したジョイントを示す側面図である。
【図１２】図７に示したブラケットの斜視図である。
【図１３】図１２に示したブラケットの縦断面を示す斜視図である。
【図１４】ジョイントとブラケットの組立体を示す斜視図である。
【図１５】図１４に示したジョイントとブラケットの組立体の部分断面図である。
【図１６】図７に示したアダプタの斜視図である。
【図１７】図１６に示したアダプタの内側を示す斜視図である。
【図１８】図１６に示したアダプタの平面図である。
【図１９】図１６に示したアダプタの側面図である。
【図２０】図７に示したカバーの内側を示す斜視図である。
【図２１】図７に示したカバーの側面図である。
【図２２】ブラケット、アダプタ及びカバーの組立体を示す斜視図である。
【図２３】第１の実施例による連結装置を用いてフラットワイパーブレードとトップロックワイパーアームとの連結を例示する斜視図である。
【図２４】第１の実施例による連結装置を用いて連結されたフラットワイパーブレードとトップロックワイパーアームとを例示する斜視図である。
【図２５】第１の実施例による連結装置を用いてフラットワイパーブレードともう一つのトップロックワイパーアームとの連結を例示する斜視図である。
【図２６】第１の実施例による連結装置を用いて連結されたフラットワイパーブレードともう一つのトップロックワイパーアームとを例示する斜視図である。
【図２７】第１の実施例による連結装置を用いてフラットワイパーブレードとフックワイパーアームとの連結を例示する斜視図である。
【図２８】第１の実施例による連結装置を用いて連結されたフラットワイパーブレードとフックワイパーアームとを例示する斜視図である。
【図２９】第１の実施例による連結装置を用いてフラットワイパーブレードとバヨネットワイパーアームとの連結を例示する斜視図である。
【図３０】第１の実施例による連結装置を用いて連結されたフラットワイパーブレードとバヨネットワイパーアームとを例示する斜視図である。
【図３１】第１の実施例による連結装置を用いてフラットワイパーブレードとサイドロックワイパーアームとの連結を例示する斜視図である。
【図３２】第１の実施例による連結装置を用いて連結されたフラットワイパーブレードとサイドロックワイパーアームとを例示する斜視図である。
【図３３】本発明の第２の実施例によるフラットワイパーブレードとワイパーアームの連結装置を示す分解斜視図である。
【図３４】図３３に示したジョイントの斜視図である。
【図３５】図３４に示したジョイントの側面図である。
【図３６】図３３に示したブラケットの斜視図である。
【図３７】図３６に示したブラケットの縦断面を示す斜視図である。
【図３８】ジョイントとブラケットの組立体を示す斜視図である。
【図３９】図３３に示したアダプタを示す斜視図である。
【図４０】図３９に示したアダプタの縦断面を示す斜視図である。
【図４１】図３９に示したアダプタの平面図である。
【図４２】図３９に示したアダプタの側面図である。
【図４３】図３３に示したカバーの内側を示す斜視図である。
【図４４】図４３に示したカバーの側面図である。
【図４５】ジョイント、ブラケット、アダプタ及びカバーの組立体を示す斜視図である。
【図４６】第２の実施例による連結装置を用いてフラットワイパーブレードとトップロックワイパーアームとの連結を例示する斜視図である。
【図４７】凹部と第１の結合要素との結合を例示する部分拡大図である。
【図４８】第２の実施例による連結装置を用いて連結されたフラットワイパーブレードとトップロックワイパーアームとを例示する斜視図である。
【図４９】第２の実施例による連結装置を用いてフラットワイパーブレードともう一つのトップロックワイパーアームとの連結を例示する斜視図である。
【図５０】凹部と第１の結合要素との結合を例示する部分拡大図である。
【図５１】第２の実施例による連結装置を用いて連結されたフラットワイパーブレードともう一つのトップロックワイパーアームとを例示する斜視図である。
【図５２】第２の実施例による連結装置を用いてフラットワイパーブレードとフックワイパーアームとの連結を例示する斜視図である。
【図５３】第２の実施例による連結装置を用いて連結されたフラットワイパーブレードとフックワイパーアームとを例示する斜視図である。
【図５４】第２の実施例による連結装置を用いてフラットワイパーブレードとバヨネットワイパーアームとの連結を例示する斜視図である。
【図５５】第２の実施例による連結装置を用いて連結されたフラットワイパーブレードとバヨネットワイパーアームとを例示する斜視図である。
【図５６】第２の実施例による連結装置を用いてフラットワイパーブレードとサイドロックワイパーアームとの連結を例示する斜視図である。
【図５７】第２の実施例による連結装置を用いて連結されたフラットワイパーブレードとサイドロックワイパーアームとの連結を例示する斜視図である。
【図５８】第２の実施例による連結装置を用いて連結されたフラットワイパーブレードとピンワイパーアームとの連結を例示する斜視図である。
【発明を実施するための最良の形態】
【００４７】
以下、添付した図面を参照して本発明のフラットワイパーブレードとワイパーアームとの連結装置（以下、簡単に“連結装置”という）の実施例について詳細に説明する。
【００４８】
以下の説明で、“前方”という指示語は、ワイパーアームの末端部に向かう方向に参照され、“後方”という指示語は“前方”の反対方向で参照される。また、“上方”または“上側”という指示語は、フラットワイパーブレードとワイパーアームとの組立体においてワイパーアームに向かう方向に参照され、“下方”または“下側”という指示語は“上方”または“上側”の反対方向で参照される。
【００４９】
本発明の連結装置は、目的とする複数の類型のワイパーアームに適用できるように構成されている。詳細には、本発明の連結装置はワイパーアームの末端部に備えられる結合要素のいずれにも分離可能に連結されるように構成されるアダプタを備える。
【００５０】
図１〜図６を参照して本発明の連結装置が適用される第１〜第５の結合要素１０、１０’、２０、３０、４０、５０について説明する。
【００５１】
第１の結合要素１０は、上板１１と上板１１の両側縁部から垂直に延びた一対の側板１２ａ、１２ｂを備え、これらの内側に前記アダプタが収容できる収容空間を形成している。上板１１は前記アダプタの上部に接触するようになり、側板１２ａ、１２ｂはアダプタの側面にそれぞれ対面するようになる。また、第１の結合要素１０は上板１１の前方端部から延びた舌部１３と、概ね側板１２ａ、１２ｂの後方端部が一部切り欠かれて形成されたりまたは内側に窪んで形成される凹部１４ａ、１４ｂを備える。
【００５２】
第１の結合要素１０’は、上板１１’に開口部１１ａ’が形成されており、開口部１１ａ’の縁部から前方へ延びたもう一つの舌部１５’が形成されており、凹部１４ａ’、１４ｂ’がほぼ直角に形成されたことを除いては第１の結合要素１０と類似して構成されている。このような第１の結合要素１０’の他の例では、前記もう一つの舌部１５’を備えないこともある。
【００５３】
第２の結合要素２０は、ほぼ１８０°に湾曲したフック部２１とフック部２１からワイパーアーム２にほぼ平行に後方に延長された延長部２２を備える。フック部２１は凸形状の外側である外面２１ａとその内側である内面２１ｂとを有する。
【００５４】
第３の結合要素３０は、上板３１と上板３１の両側縁部から上板３１にほぼ垂直に延びた側板３２ａ、３２ｂを備え、これらの内側に前記アダプタが挿入される挿入空間を形成している。上板３１は開口部３１ａを備える。また、第３の結合要素３０は各側板３２ａ、３２ｂの下端から内側へ突出したストッパ部３３ａ、３３ｂをさらに備える。ストッパ部３３ａ、３３ｂは概ね側板３２ａ、３２ｂの後方部分に位置する。
【００５５】
第４の結合要素４０は、ワイパーアーム４の末端部から垂直へ延びたサイドピン４１とサイドピン４１に隣接するようにサイドピン４１に平行に延びているクリップアーム４２を備える。クリップアーム４２はストッパ部４２ａとストッパ部４２ａの末端で折り曲げられて延びるクリップ部４２ｂを備える。
【００５６】
第５の結合要素５０は、ワイパーアーム５の末端部からワイパーアーム５にほぼ垂直に延びるピン５１とピン５１の中間に位置してピン５１の直径より小さな直径を有する環状溝５２を備える。
【００５７】
本発明の連結装置は、前記アダプタと連結装置の他の構成要素を用いて相違した構成の第１〜第５の結合要素１０、１０’、２０、３０、４０、５０のうち一つを末端部に備えたワイパーアーム１、１’、２、３、４、５にフラットワイパーブレードを分離可能に連結させるように構成されている。このような連結のために、本発明の連結装置はアダプタにのみ備えられたりアダプタと他の構成要素と組み合わせられて備えられ、それぞれ前記第１〜第５の結合要素とのロッキングを実行するための第１〜第５のロッキング装置を備える。
【００５８】
前記第１のロッキング装置は、アダプタに備えられ、アダプタと第１の結合要素１０、１０’との係止及びスナップ結合によるロッキングを実行する。
【００５９】
前記第２のロッキング装置はアダプタに備えられ、アダプタと第２の結合要素２０とのフック結合及びスナップ結合によるロッキングを実行する。
【００６０】
前記第３のロッキング装置は、アダプタに備えられてアダプタと第３の結合要素３０との嵌合によるロッキングを実行する。
【００６１】
前記第４のロッキング装置は、アダプタとアダプタが回動可能に結合する構成要素に備えられ、第４の結合要素４０との挿入及び回動によるロッキングを実行する。
【００６２】
前記第５のロッキング装置はアダプタに備えられ、アダプタと第５の結合要素５０との挿入及びスナップ結合によるロッキングを実行する。
【００６３】
図７は本発明の連結装置の第１の実施例を示す分解斜視図である。第１の実施例による連結装置１００はフラットワイパーブレードを前記第１〜第４の結合要素のうち、一つを末端部に備えたワイパーアーム１、１’、２、３、４に分離可能に連結する。また、第１の実施例の連結装置１００はこのような分離可能な連結のために、前記第１〜第４のロッキング装置を備える。
【００６４】
この実施例の連結装置１００は、フラットワイパーブレード９と結合するジョイント１１０と、ジョイント１１０にスナップ結合で装着されるブラケット１２０と、ブラケット１２０に装着されるアダプタ１３０と、アダプタ１３０の前方端部に回動可能に結合したカバー１４０とを有する。
【００６５】
フラットワイパーブレード９は、ウインドシールドの表面に接触するワイピングストリップ９ａとワイピングストリップ９ａを固定して支持するためのフレーム９ｂとを備える。ワイピングストリップ９ａは例えばゴム材質からなり、ウインドシールドの表面に接触される三角形断面の先端部を有する。フレーム９ｂは金属またはプラスチックからなり、薄くて長いバーの形状を有する。ワイピングストリップ９ａはフレーム９ｂにその長手方向に沿って形成されたスロット（図示せず）に嵌合によりフレーム９ｂに固定される。フレーム９ｂは図７に示す通りその長手方向に沿って所定曲率で曲がるように形成されることもできる。また、前記フレームとして図３３に示した通りほぼ直線状であるフレーム９ｂ’が用いられることもできる。
【００６６】
図８はジョイントを示す斜視図である。ジョイント１１０はフラットワイパーブレード９のフレーム９ｂに結合し、ワイパーアーム１、１’、２、３、４とフラットワイパーブレード９を連結する。詳細には、ジョイント１１０はフレーム９ｂの中間に配置されてフレーム９ｂと固定される。
【００６７】
この実施例においては、ジョイント１１０はフレーム９ｂの一側エッジに係合する第１の半部１１０ａとフレームの反対側エッジに係合する第２の半部１１０ｂからなる。第１の半部１１０ａと第２の半部１１０ｂはフレーム９ｂをその間に置いて位置する。図９及び図１０はジョイント１１０を構成する各半部の正面図である。図１１は組み立てられたジョイント１１０を示す側面図である。図８〜図１１を共に参照し、ジョイント１１０についてさらに説明する。
【００６８】
第１の半部１１０ａは半部ボディ１１１ａを有し、第２の半部１１０ｂは半部ボディ１１１ｂを有する。ジョイント１１０は各半部１１０ａ、１１０ｂの相互結合のために一側半部に提供された固定要素と他側半部に提供されて前記固定要素に係合される係合要素を備える。前記固定要素として、第１の半部１１０ａにはひっくり返ったＵ字状の収納部１１２ａと収納部１１２ａの上部に貫通した係止孔１１３ａとが提供されている。また、前記係合要素として、第２の半部１１０ｂには弾性の挿入アーム１１２ｂと挿入アーム１１２ｂの自由端に突出した楔形状の係止突起１１３ｂとが提供されている。挿入アーム１１２ｂは半部ボディ１１１ｂの中央に形成された支持部１１４ｂの上端付近に位置する。挿入アーム１１２ｂが収納部１１２ａに挿入されて係止突起１１３ｂが係止孔１１３ａに係合し、第１の半部１１０ａと第２の半部１１０ｂが相互に結合できる。図示された実施例において、収納部１１２ａが半部ボディ１１１ａで突出しており、挿入アーム１１２ｂが支持部１１４ｂの上端に配置され、各半部１１０ａ、１１０ｂの結合時に第２の半部１１０ｂの半部ボディ１１１ｂは第１の半部１１０ａの半部ボディ１１１ａより下に置かれる。
【００６９】
ジョイント１１０は各半部１１０ａ、１１０ｂの結合時に各半部の結合を確実にし、各半部の相対動きを防止するための位置限定要素を備える。前記位置限定要素として、一側半部には挿入要素が備えられて他側半部にはこの挿入要素が整合する溝が備えられる。前記位置限定要素として、第１の半部１１０ａの前方端部及び後方端部とこれらにそれぞれ対面する第２の半部１１０ｂの前方端部及び後方端部とには半部ボディから上方へ突出している第１の整合部１１５ａ、１１５ｂと第２の整合部１１６ａ、１１６ｂとが提供されている。第１の整合部の一側１１５ｂには上下に長い突起１１７ｂ’が形成されており、第１の整合部の他側１１５ａには突起１１７ｂ’が挟まれる溝１１７ａ’が他側整合部１１５ａの内側面に形成されている。第２の整合部の一側１１６ｂには左右に長い突起１１７ｂ"が形成されており、他側第２の整合部１１６ａは突起１１７ｂ"が挿入されて挟まれる溝１１７ａ"が形成されている。第１の整合部１１５ａ、１１５ｂと第２の整合部１１６ａ、１１６ｂの下部はフレーム９ｂの上に出るワイピングストリップ９ａの部分を収容するように窪んで形成されている。
【００７０】
ジョイント１１０は、各半部ボディ１１１ａ、１１１ｂの下端に提供されてフレーム９ｂの一側エッジを嵌合または係合で固定するためのフレーム支持レッグ１１８ａ、１１８ｂとフレーム支持レッグで内側へ突出したフレーム支持突起１１８ｃを備える。示した通り、第１の半部１１０ａの下端に下方にフレーム支持レッグ１１８ａが延びており、その両端に２つのフレーム支持突起１１８ｃが形成されている。また、第２の半部１１０ｂの下端に下方にフレーム支持レッグ１１８ｂが延びており、その両端に２つのフレーム支持突起１１８ｃが形成されている。フレーム支持突起１１８ｃの上面と第１の半部１１０ａの下面と第２の半部１１０ｂの下面はフレーム９ｂの曲率に対応するように湾曲している。フレーム９ｂは各半部１１０ａ、１１０ｂの下面とフレーム支持突起１１８ｃの上面との間で各半部１１０ａ、１１０ｂの結合により互いに向き合うフレーム支持レッグ１１８ａ、１１８ｂにより保持されることにより、ジョイント１１０と固定される。他の実施例として、半部１１０ａ、１１０ｂが組み立てられてなるジョイント１１０にフレーム支持レッグ１１８ａ、１１８ｂの間にフレーム９ｂをその長手方向に沿って嵌合することによってジョイント１１０とフレーム９ｂが固定され得る。
【００７１】
図１２は、ブラケットの斜視図である。ブラケット１２０はジョイント１１０上に配置されてジョイント１１０にスナップ結合により装着される。
【００７２】
一実施例として、ブラケット１２０はジョイント１１０を覆うのに十分な大きさの基部１２１と、基部１２１上に垂直に形成された一対の垂直壁部１２２ａ、１２２ｂと、垂直壁部１２２ａ、１２２ｂの上部に位置するピボット軸１２３を有する。
【００７３】
ピボット軸１２３はフラットワイパーブレード９とワイパーアーム１、１’、２、３、４の組立体でピボット中心として作用する。ピボット軸１２３は垂直壁部１２２ａ、１２２ｂの上部にフレーム９ｂの長手方向にほぼ直交するように形成されている。ピボット軸１２３は中空形態に形成され、これを貫通するピボットボア１２３ａを限定している。ピボットボア１２３ａは前記第４の結合要素４０を末端部に備えたワイパーアーム４との連結に関与する。ピボット軸１２３の両端部１２３ｂ、１２３ｃは垂直壁部１２２ａ、１２２ｂの外側に若干突出している。ピボット軸１２３の両端部にはアダプタ１３０の装着を容易にする内側に傾斜した傾斜部１２３ｄがそれぞれ形成されている。
【００７４】
図１３は、ブラケットの内側を示す斜視図である。図１４及び図１５はそれぞれジョイントとブラケットの組立を示した斜視図及び断面図である。
【００７５】
図１２〜図１５を参照すれば、ブラケット１２０はブラケット１２０がジョイント１１０に結合する時にブラケット１２０の位置を限定する位置限定要素を有する。前記位置限定要素として、ブラケット１２０の基部１２１の前方端部にリッジ部１２１ｄが形成され、ブラケット１２０の基部１２１の後方端部に折曲壁１２１ｃが形成され、垂直壁部１２２ａ、１２２ｂの下端に断面形状がひっくり返ったＵ字状である２つの横バー１２１ａ、１２１ｂが形成されている。リッジ部１２１ｄはその下側面がジョイント１１０の第２の整合部１１６ａ、１１６ｂの上面の形状に一致するように形成されている。従って、ブラケット１２０がジョイント１１０に装着されれば、第２の整合部１１６ａ、１１６ｂはリッジ部１２１ｄの下側に嵌合される（図１４参照）。また、リッジ部１２１ｄは後述するアダプタ１３０の側壁部１３１、１３２の前方部分の間に置かれてアダプタ１３０のピボット軸１２３に対する横方向の揺動を防止する。折曲壁１２１ｃは垂直壁部１２２ａ、１２２ｂの後方端部に配置されてジョイント１１０の第１の整合部１１５ａ、１１５ｂの上面と後面とに接触するように位置する（図１４参照）。横バー１２１ａ、１２１ｂはブラケット１２０がジョイント１１０に装着される時に収納部１１２ａの左右側にそれぞれ置かれるように位置する（図１４参照）。
【００７６】
ブラケット１２０は、ジョイント１１０へのスナップ結合を可能にするスナップ要素を有する。前記スナップ要素として、ブラケット１２０の基部１２１の下端にはブラケット１２０の内側に向けて突出した楔形状のスナップ突起１２１ｆが形成されている（図１５参照）。スナップ突起１２１ｆはブラケット１２０下端の一側縁部にそれぞれ２個ずつ形成されている。スナップ突起１２１ｆはジョイント１１０の一側の２つのフレーム支持突起１１８ｃの間でジョイントの一側半部ボディにスナップ結合する。ブラケット１２０をジョイント１１０に位置限定要素１２１ａ、１２１ｂ、１２１ｃ、１２１ｄによって位置設定した後、下に押すとスナップ突起１２１ｆが位置した基部１２１の部分が外側に撓めた後弾性的に戻ってスナップ突起１２１ｆがジョイント１１０の半部ボディにスナップ結合する。
【００７７】
図１６はアダプタの斜視図であり、図１７はアダプタの内側を示す斜視図である。図１８及び図１９はそれぞれアダプタの平面図及び側面図である。
【００７８】
図１６〜図１９を参照すれば、一実施例として、アダプタ１３０は一対の側壁部１３１、１３２と、各側壁部１３１、１３２を互いに連結している第１〜第４の連結部１３３ａ、１３３ｂ、１３３ｃ、１３３ｄとを備える。側壁部１３１、１３２間にピボット軸１２３を備えるブラケット１２０の一部が置かれる。また、ブラケット１２０の基部１２１の前方のリッジ部１２１ｄは側壁部１３１、１３２の前方部分間に置かれることができ、Ｕ字状で折り曲げられた第４の連結部１３３ｄは垂直壁部１２２ａ、１２２ｂの後方部分間に置かれることができる。リッジ部１２１ｄと第４の連結部１３３ｄにより、アダプタ１３０がブラケット１２０に装着された状態でアダプタ１３０がピボット軸１２３に対して横に揺動することを防止できる。
【００７９】
各側壁部１３１、１３２にはピボット軸１２３の両端部１２３ｂ、１２３ｃがそれぞれ嵌合される嵌合孔１３４ａ、１３４ｂが空けられている。側壁部１３１、１３２の内面間の距離はブラケット１２０の垂直壁部１２２ａ、１２２ｂの外面間の距離より若干大きい。また、各側壁部１３１、１３２の内面間の距離は第１の結合要素１０、１０’の舌部１３、１３’と第２の結合要素２０のフック部２１とが十分に収容されるように定められている。アダプタ１３０がブラケット１２０に装着される時、ピボット軸１２３はその両端部の傾斜面１２３ｄで側壁部１３１、１３２の下端と接触するようになる。引き続きアダプタ１３０をブラケット１２０に押すと、側壁部１３１、１３２がアダプタ１３０の外側に弾性的に若干変形され、ピボット軸１２３の両端部が嵌合孔１３４ａ、１３４ｂ内に完全に進入すれば再び弾性的に戻ることにより、ピボット軸１２３の両端部と各嵌合孔１３４ａ、１３４ｂは嵌合される。アダプタ１３０がブラケット１２０に装着される時、側壁部１３１、１３２の外面とピボット軸１２３の両端部の外側縁部はほぼ同一平面に置かれる。
【００８０】
このように、アダプタ１３０はブラケット１２０の上方から押されてスナップ結合及び嵌合によりブラケット１２０に装着される。ピボット軸１２３がフレーム９ｂに直交するように配置されており、アダプタ１３０にはワイパーアームがピボット軸１２３に垂直な方向に結合する。従って、フラットワイパーブレード９とワイパーアーム１、１’、２、３、４が連結された時、両者はピボット軸１２３を中心として時計方向または反時計方向に所定範囲内で相対回転可能である。従って、ワイパーアーム１、１’、２、３、４によりフラットワイパーブレード９がウインドシールドの表面上で移動する時、フラットワイパーブレード９はウインドシールド表面の曲率に順応しながらウインドシールドに接触することができる。
【００８１】
第１の連結部１３３ａは嵌合孔１３４ａ、１３４ｂの前方に位置する。第１の連結部１３３ａの前方部分は第２の結合要素２０のフック部２１の内面２１ｂが安着するようにラウンドされている。第２の連結部１３３ｂは嵌合孔１３４ａ、１３４ｂの後方に位置する。第３の連結部１３３ｃは側壁部１３１、１３２の前方端部に位置する。図示された実施例においては、第３の連結部１３３ｃは両端が開放された管状部材を備える。第３の連結部１３３ｃの両端の孔１３１ｃ、１３２ｃが後述するカバー１４０の回動結合のために機能する。第４の連結部１３３ｄは側壁部１３１、１３２の後方端部にほぼＵ字状で形成されている。従って、第４の連結部１３３ｄの両側外面と側壁部１３１、１３２の内面との間に空間が形成され、アダプタ１３０がブラケット１２０に装着される時、ブラケット１２０の垂直壁部１２２ａ、１２２ｂの後方一部は前記空間に挿入できる。
【００８２】
カバー１４０の内側が図２０に示されている。図２１はカバーの側面図である。図２２はブラケット、アダプタ及びカバーの組立体を示す斜視図である。
【００８３】
カバー１４０は前記第１及び第２の結合要素１０、１０’、２０とアダプタ１３と０のロッキングを助け、ワイパーアーム１、１’、２の末端部一部とアダプタ１３０とを覆って遮るように機能する。図２０及び図２１を参照すれば、一実施例とし、カバー１４０はほぼＵ字状断面形状を有し、側壁部１３１、１３２の上部上に位置する上板１４１ｃと、側壁部１３１、１３２とそれぞれ対面する一対の側板１４１ａ、１４１ｂとを有する。側板１４１ａ、１４１ｂ間の距離はこれらの間に第１の結合要素の側板１２ａ、１２ｂ、１２ａ’、１２ｂ’が若干の遊びで置かれることができるように定められる。カバー１４０の前方端部、即ち側板１４１ａ、１４１ｂの前方端部にはカバー１４０をアダプタ１３０に回動可能に結合させる回動ピン１４３ａ、１４３ｂがカバー１４０の内側で突出している。回動ピン１４３ａ、１４３ｂはアダプタ１３０の第３の連結部１３３ｃ両端の孔１３１ｃ、１３２ｃにそれぞれ嵌合される。嵌合を容易にするために、回動ピン１４３ａ、１４３ｂの下側に傾斜面が形成されている。回動ピン１４３ａ、１４３ｂを第３の連結部１３３ｃの両端に接触させてカバー１４０をアダプタ１３０の内側に押し、カバー１４０は簡単にアダプタ１３０に結合できる。
【００８４】
カバー１４０はアダプタ１３０で回動されてアダプタ１３０にロッキングされるように形成されている。このために、カバー１４０はその側板１４１ａ、１４１ｂの下端内側にラッチ突起１４２ａ、１４２ｂを有する。また、これに対応し、アダプタ１３０はカバー１４０がアダプタ１３０で回動された時にラッチ突起１４２ａ、１４２ｂがスナップ結合するロッキングバー１３１ｄ、１３２ｄを有する。ロッキングバー１３１ｄ、１３２ｄは嵌合孔１３４ａ、１３４ｂの前方で各側壁部１３１、１３２に形成されたストッパウォール１３１ｅ、１３２ｅから各側壁部１３１、１３２に平行に延びており、その他端は自由端からなっている。従って、ロッキングバー１３１ｄ、１３２ｄは側壁部１３１、１３２側に弾性変形可能である。ロッキングバー１３１ｄ、１３２ｄは他端部にラッチ突起１４２ａ、１４２ｂと接触してラッチ突起１４２ａ、１４２ｂの下降によってロッキングバーを側壁部側に変形させるための傾斜片を有する。ラッチ突起１４２ａ、１４２ｂがロッキングバー１３１ｄ、１３２ｄの下端に係止されることにより、カバー１４０はアダプタ１３０に固定される。ラッチ突起１４２ａ、１４２ｂとロッキングバー１３１ｄ、１３２ｄとの係止位置はカバー１４０の上板１４１ａの下面と側壁部１３１、１３２の上面との間に第１の結合要素１０、１０’の上板１１、１１’または第２の連結要素２０のフック部２１の後方部分が遊びなく介在するように定められている。
【００８５】
アダプタ１３０はカバー１４０の回動を制限するカバーストッパ１３１ｇ、１３２ｇをロッキングバー１３１ｄ、１３２ｄにそれぞれ備える。カバーストッパ１３１ｇ、１３２ｇは半球形状からなる。カバーストッパ１３１ｇ、１３２ｇに対応する形状としてカバー１４０の側板１４１ａ、１４１ｂの下端には凹部１４５ａがそれぞれ形成されている。カバー１４０がアダプタ１３０で回動されて凹部１４５ａにカバーストッパ１３１ｇ、１３２ｇが接触すれば、カバー１４０はアダプタ１３０に安着する。カバーストッパ１３１ｇ、１３２ｇと凹部１４５ａとの相対位置はラッチ突起１４２ａ、１４２ｂがロッキングバー１３１ｄ、１３２ｄを過ぎて支持突起１４４ａ、１４４ｂがクランピングバー１３１ａ、１３２ａの段差部１３１ｈ、１３２ｈの外面に位置するように定められている。
【００８６】
アダプタ１３０はカバー１４０が閉められた時、カバー１４０の揺れを防止するためのカバー保持突起１３１ｆ、１３２ｆを側壁部１３１、１３２それぞれの下端に（詳細には、ストッパ部１３７ｃ、１３７ｄに）備える。カバー保持突起１３１ｆ、１３２ｆは側壁部１３１、１３２の外面と所定間隙をおいて位置する。（詳細には、スライドレール１３７ａ、１３７ｂと所定間隙をおいて位置する）図２２に示した通り、カバー１４０が閉められてアダプタ１３０に固定される時、カバー１４０の側板１４１ａ、１４１ｂの下端部はカバー保持突起１３１ｆ、１３２ｆとスライドレール１３７ａ、１３７ｂとの間に嵌められ、カバー１４０の揺れが防止される。
【００８７】
第１の実施例において、前記第１のロッキング装置は第１の結合要素１０、１０’に対してアダプタ１３０が回動可能なように第１の結合要素１０、１０’の凹部１４ａ、１４ｂ、１４ａ’、１４ｂ’を側壁部１３１、１３２に位置させる位置装置と、第１の結合要素１０、１０’の上板１１、１１’を側壁部１３１、１３２上に固定する装置とを備える。
【００８８】
前記位置装置は側壁部１３１、１３２のそれぞれの後方端部で外側へ突出したピボット突起１３５ｃ、１３５ｄを備える。ピボット突起１３５ｃ、１３５ｄは第１の結合要素１０、１０’の凹部１４ａ、１４ｂ、１４ａ’、１４ｂ’に挿入されるように形成されている。ピボット突起１３５ｃ、１３５ｄは角が丸い三角形を取り得る。
【００８９】
前記固定装置は第１の結合要素の上板１１、１１’を側壁部１３１、１３２にロッキングするように構成されている。一実施例として、前記固定装置は第１の結合要素の上板１１、１１’が安着する要素と、カバー１４０と、カバー１４０をアダプタ１４０にロッキングさせるためのカバーロッキング装置とを備える。図示された実施例において、前記安着要素は各側壁部１３１、１３２の上面１３５ａ、１３５ｂである。また、前記カバーロッキング装置はカバー１４０の各側板１４１ａ、１４１ｂの内側に配置されたラッチ突起１４２ａ、１４２ｂと、カバー１４０がアダプタ１３０で回動された時にラッチ突起１４２ａ、１４２ｂとスナップ結合するように側壁部１３１、１３２にそれぞれ提供されたロッキングバー１３１ｄ、１３２ｄとを備える。前記カバーロッキング装置の他の例として、側壁部１３１、１３２はその外面にラッチ突起１４２ａ、１４２ｂが係合するように形成された楔状の突起を備えることもできる。追加で、前記第１のロッキング装置は上板１１、１１’が側壁部１３１、１３２に接触する時に舌部１３、１３’が係合できる第１のロッキング突起を各側壁部１３１、１３２の内面に、さらに備えることができる。
【００９０】
第１の実施例において、前記第２のロッキング装置は各側壁部１３１、１３２の内面に第１の連結部１３３ａに隣接するように形成された一対の第２のロッキング突起１３６ａ、１３６ｂを備える。第２のロッキング突起１３６ａ、１３６ｂは第２の結合要素２０のフック部２１の挿入が容易で脱落が難しいように楔形状を有し、その傾斜面はアダプタ１３０の前方に向けてその係止面はアダプタ１３０の後方に向かうように配置される。第２のロッキング突起１３６ａ、１３６ｂの係止面と第１の連結部１３３ａの前方表面間の間隙はほぼフック部２１の厚さに対応することができる。また、第２のロッキング突起１３６ａ、１３６ｂはアダプタ１３０の内外側で弾性変形するように構成される。このために、一実施例として、各側壁部１３１、１３２が弾性変形可能な一対のクランピングバー１３１ａ、１３２ａを有し、第２のロッキング突起１３６ａ、１３６ｂはクランピングバー１３１ａ、１３２ａの対面する面にそれぞれ形成されている。
【００９１】
図示された実施例においては、クランピングバー１３１ａ、１３２ａは側壁部１３１、１３２の上端付近の一部が例えば側壁部１３１、１３２の上端に平行に切り欠かれて形成される。また、クランピングバー１３１ａ、１３２ａの基部にはノッチ１３１ｂ、１３２ｂが形成されており、クランピングバー１３１ａ、１３２ａはより容易に曲がることができる。クランピングバー１３１ａ、１３２ａの前方自由端部には後述するカバー１４０の支持突起１４４ａ、１４４ｂと接触可能な段差部１３１ｈ、１３２ｈがそれぞれ形成されている。
【００９２】
前記第２のロッキング装置は、第２の結合要素２０が側壁部１３１、１３２にロッキングされる時に第２のロッキング突起１３６ａ、１３６ｂが側壁部１３１、１３２の外側に移動するのを阻止してワイパーアーム２とのロッキングを補完する要素をさらに備える。一実施例として、前記要素は例えばカバー１４０に設けられてカバー１４０がアダプタ１３０に結合すれば前記補完機能を行うように構成される。図示された実施例において、前記要素はカバー１４０の側板１４１ａ、１４１ｂの内面に形成されている一対の支持突起１４４ａ、１４４ｂを備える。支持突起１４４ａ、１４４ｂ間の距離は段差部１３１ｈ、１３２ｈ間の距離より若干大きい。支持突起１４４ａ、１４４ｂはカバー１４０がアダプタ１３０に結合すればクランピングバー１３１ａ、１３２ａに形成された段差部１３１ｈ、１３２ｈの外側に置かれるようにまたは段差部１３１ｈ、１３２ｈを内側に若干押しながら置かれるように形成されている。従って、カバー１４０がアダプタ１３０で回動されてアダプタ１３０にロッキングされれば、クランピングバー１３１ａ、１３２ａの外側への曲がりが防止される。従って、第２の結合要素２０のフック部２１が第２のロッキング突起１３６ａ、１３６ｂと第１の連結部１３３ａとの間に嵌められ固定された状態で、支持突起１４４ａ、１４４ｂの助けで第２の結合要素２０のフック部２１の確実な固定が達成される。
【００９３】
第１の実施例において、前記第３のロッキング装置は第３の結合要素３０の側板３２ａ、３２ｂの内面にスライドして内面と嵌合されるスライドレール１３７ａ、１３７ｂと、側板３２ａ、３２ｂの前方端部と接触するように配置されたストッパウォール１３１ｅ、１３２ｅと、上板３１の開口部３１’に弾性的にラッチングされるラッチング突起１３７ｅとを備える。図示された実施例においては、スライドレール１３７ａ、１３７ｂは各側壁部１３１、１３２の下端に長手方向に沿って突出形成されている。また、前記第３のロッキング装置はアダプタ１３０の第３の結合要素３０内への挿入を限定するために第３の結合要素の側板３２ａ、３２ｂの下端に設けられたストッパ部３３ａ、３３ｂと接触するように形成されたストッパ部１３７ｃ、１３７ｄをさらに備える。ストッパ部１３７ｃ、１３７ｄはスライドレール１３７ａ、１３７ｂより短い長さを有し、スライドレール１３７ａ、１３７ｂの下方でスライドレール１３７ａ、１３７ｂの外側に突出している。ラッチング突起１３７ｅは側壁部１３１、１３２の後方部分に位置する。図示された実施例において、ラッチング突起１３７ｅは第２の連結部１３３ｂから後方へ延びる弾性バー１３７ｆの自由端部に位置する。弾性バー１３７ｆが第２の連結部１３３ｂを中心として上下に弾性変形可能なので、ラッチング突起１３７ｅは開口部３１ａに弾性的にラッチ結合可能である。弾性バー１３７ｆは第３の結合要素３０の側板３２ａ、３２ｂの前方端部がストッパウォール１３１ｅ、１３２ｅに接触すればラッチング突起１３７ｅが開口部３１ａにラッチング結合するように位置している。アダプタ１３０と第３の結合要素３０の分離時には、ラッチング突起１３７ｅを下側に押してラッチング突起１３７ｅを上板３１から分離させれば、連結装置１００は第３の結合要素３０から分離できる。
【００９４】
第１の実施例において、前記第４のロッキング装置は第４の結合要素４０のサイドピン４１が回動可能に嵌合されるピボット軸１２３と第４の結合要素４０のクリップアーム４２がスナップ結合される部分から構成される。図示された実施例において、前記部分は側壁部１３２の外面である。側壁部１３１、１３２の外面間の距離はクリップアーム４２が側壁部１３２の外面にスナップ結合可能なように定められている。
【００９５】
図２３と図２４は第１の結合要素１０を末端部に備えたワイパーアーム１と連結装置１００の連結を例示する。図１、図２３及び図２４を参照してワイパーアーム１と連結装置１００の例示的な連結例を説明する。
【００９６】
カバー１４０がアダプタ１３０から前方に回動された状態で、アダプタ１３０のピボット突起１３５ｃ、１３５ｄを対応する第１の結合要素１０の凹部１４ａ、１４ｂにそれぞれ嵌める。ピボット突起１３５ｃ、１３５ｄが凹部１４ａ、１４ｂに接触した状態で、アダプタ１３０（アダプタ１３０が装着されたフラットワイパーブレード９）はピボット突起１３５ａ、１３５ｂを回動中心点として第１の結合要素１０側に回動できる。完全に回動されれば、舌部１３は側壁部１３１、１３２の前方部分（詳細には、クランピングバー１３１ａ、１３２ａの前端を含む前方部分）間に置かれ、上板１１は側壁部１３１、１３２の上端に接触する。このような状態で、ラッチ突起１４２ａ、１４２ｂとロッキングバー１３１ｄ、１３２ｄが互いに係り合うまでカバー１４０をアダプタ１３０側に回動させてカバー１４０をアダプタ１３０にロッキングさせる。そうすると、カバーの上板１４１ｃの下面の一部が第１の結合要素１０の上板１１の上面に接触して側板１４１ａ、１４１ｂの内面の一部が第１の結合要素１０の側板１２ａ、１２ｂの外面に若干の遊びで位置し、アダプタ１３０と第１の結合要素１０がロッキングされる。また、ロッキング後、カバー１４０の側板１４１ａ、１４１ｂの下端がカバー保持突起１３１ｆ、１３２ｆと側壁部１３１、１３２間で固定されるので、第１の結合要素１０に対するアダプタ１３０の横方向の揺動が防止される。このように、フラットワイパーブレード９は第１の結合要素１０を備えたワイパーアーム１にアダプタ１３０の後方端部で前記位置装置（詳細には、ピボット突起１３５ｃ、１３５ｄ）により第１の結合要素１０に固定されて前方端部でカバー１４０とカバーロッキング装置（詳細には、ラッチ突起とロッキングバー）とにより固定されて連結される。
【００９７】
図２５と図２６はもう一つの第１の結合要素１０’を末端部に備えたワイパーアーム１’と連結装置１００のロッキングを例示する。
【００９８】
カバー１４０がアダプタ１３０から前方に回動された状態で、凹部１４ａ’、１４ｂ’にピボット突起１３５ｃ、１３５ｄを嵌める。引き続き、連結装置１００が装着されたフラットワイパーブレード９を第１の結合要素１０’側に回動させ、第１の結合要素１０’とアダプタ１３０とを互いに対応する部分同士接触させる。その後、カバー１４０を再びアダプタ１３０側に返し、ロッキングを完了する。第１の結合要素１０’を備えたワイパーアーム１’は上述した第１の結合要素１０の場合と同様の方式で連結装置１００とロッキングされる。ロッキングが完了すれば、ラッチング突起１３７ｅは第１の結合要素１０’の開口部１１ａ’内に挿入できる。
【００９９】
図２７と図２８は第２の結合要素２０を末端部に備えたワイパーアーム２と連結装置１００とのロッキングを例示する。
【０１００】
カバー１４０がアダプタ１３０から前方に回動された状態で、第２の結合要素の延長部２２をアダプタ１３０のクランピングバー１３１ａ、１３２ａ間を通じてアダプタ１３０内側に挿入する。挿入途中、クランピングバー１３１ａ、１３２ａはフック部２１と第２のロッキング突起１３６ａ、１３６ｂが接触しながら外側に変形され、フック部２１が第２のロッキング突起１３６ａ、１３６ｂを過ぎれば再び戻って第２のロッキング突起１３６ａ、１３６ｂがフック部２１の外面２１ａに係合する。この時、フック部２１の内面２１ｂは第１の連結部１３３ａの前方表面に接触し、延長部２２は第１の連結部１３３ａとピボット軸１２３の下方に置かれる。
【０１０１】
アダプタ１３０が第２のロッキング装置（クランピングバー１３１ａ、１３２ａと第２のロッキング突起１３６ａ、１３６ｂ）によりフック部２１にロッキングされた状態で、カバー１４０をアダプタ１３０側に返して閉鎖する。そうすると、ラッチ突起１４２ａ、１４２ｂとロッキングバー１３１ｄ、１３２ｄが係合しながら、支持突起１４４ａ、１４４ｂがクランピングバーの段差部１３１ｈ、１３２ｈに位置し、クランピングバー１３１ａ、１３２ａが拘束され、アダプタ１３０とワイパーアーム２とのロッキングが完了する。
【０１０２】
図２９及び図３０は第３の結合要素３０を末端部に備えたワイパーアーム３と連結装置１００のロッキングを例示する。
【０１０３】
図２９に示した通り、フラットワイパーブレード９に装着されたアダプタ１３０をその後方端部から第３の結合要素３０内に挿入する。そうすると、スライドレール１３７ａ、１３７ｂが側板３２ａ、３２ｂの内面にそれぞれスライド接触しながらアダプタ１３０が第３の結合要素３０内に嵌められる。側板３２ａ、３２ｂの前方端部がストッパウォール１３１ｅ、１３２ｅに接触し、ストッパ部３３ａ、３３ｂがスライドレール１３７ａ、１３７ｂのストッパ部１３７ｃ、１３７ｄに接触し、ラッチング突起１３７ｅが上板３１の開口部３１ａにラッチ結合されれば、嵌合ロッキングが完了する。上板３１の開口部３１ａにラッチング突起１３７ｅがかかるようになるので、第３の結合要素３０とアダプタ１３０との分離が防止される。
【０１０４】
図３１及び図３２は第４の結合要素４０を末端部に備えたワイパーアーム４と連結装置１００のロッキングを例示する。
【０１０５】
図３１に示した通り、アダプタ１３０が装着されたフラットワイパーブレード９をピボット軸１２３にサイドピン４１が嵌められる方式でワイパーアーム４に連結する。このような嵌込はサイドピン４１の基部付近の第４の結合要素４０の部分が側壁部１３１の外面に接触すれば完了する。サイドピン４１がピボット軸１２３に挟まれた状態でアダプタ１３０（またはフラットワイパーブレード９）はサイドピン４１を中心として回動可能である。従って、引き続き、アダプタ１３０をワイパーアーム４側に回動させてクリップアーム４２のストッパ部４２ａを側壁部１３１、１３２の上部に接触させる。そうすると、クリップ部４２ｂが側壁部１３２の外面にスナップ結合される。図３２に示された状態で、サイドピン４１はピボット軸１２３に嵌められおり、クリップ部４２ａは側壁部１３２の外面に弾性的に結合しているので、第４の結合要素４０と連結装置１００との間の嵌込及びスナップロッキングが達成される。
【０１０６】
図３３〜図５８を参照し、本発明の第２の実施例による連結装置を説明する。
【０１０７】
第２の実施例の連結装置２００は図１〜図６で示したワイパーアーム１、１’、２、３、４、５の第１〜第５の結合要素１０、１０’、２０、３０、４０、５０にいずれも連結されるように構成されている。従って、この実施例による連結装置２００は第１〜第４のロッキング装置以外にワイパーアーム５の第５の結合要素５０に適した第５のロッキング装置をさらに備える。
【０１０８】
図３３を参照すれば、第２の実施例の連結装置２００はフラットワイパーブレード９’と結合するジョイント２１０、ジョイント２１０にスナップ結合で装着されるブラケット２２０、ブラケット２２０に装着されるアダプタ２３０と、アダプタ２３０に前方端部に回動可能に結合したカバー２４０とを備える。
【０１０９】
フラットワイパーブレード９’はワイピングストリップ９ａ’とワイピングストリップ９ａ’を固定して支持するためのフレーム９ｂ’とを備える。フレーム９ｂ’は示した通りほぼ直線状で形成されている。
【０１１０】
図３４はジョイントを示す斜視図であり、図３５はジョイントの側面図である。ジョイント２１０はフラットワイパーブレード９’に結合し、ワイパーアーム１、１’、２、３、４、５とフラットワイパーブレード９’を連結する。詳細には、ジョイント２１０はフレーム９ｂ’の中間に配置され、例えば締まばめ（ｉｎｔｅｒｆｅｒｅｎｃｅ  ｆｉｔ）でフレーム９ｂ’に固定できる。
【０１１１】
図３３〜図３５を参照すれば、ジョイント２１０は概ねＵ字状の横断面からなるジョイントボディ２１１と、フレーム９ｂ’を支持するためのフレーム支持突起２１２と、ブラケット２２０とのスナップ結合のためのスナップ要素２１３とを備える。ジョイントボディ２１１は長手方向での両側縁部にフレーム支持レッグ２１１ａ、２１１ｂを有する。フレーム支持レッグ２１１ａ、２１１ｂの下端でジョイントボディ２１１の内側にフレーム支持突起２１２が突出している。フレーム支持突起２１２とフレーム支持レッグ２１１ａ、２１１ｂにフレーム９ｂ’が締まばめで保持される。即ち、フレーム９ｂ’の一端からフレーム９ｂ’をジョイントボディ２１１の下面でフレーム支持レッグ２１１ａ、２１１ｂ間に嵌めることにより、ジョイント２１０とフレーム９ｂ’が結合できる。連結装置２００はフレーム９ｂ’の締まばめを補強するための要素を備えることができる。このために、図示された実施例においては、ジョイントボディ２１１が両側に孔２１４ａが内側に空けられている。この孔２１４ａに後述するブラケット２２０の加圧突起２２１ｅが挿入される。挿入された加圧突起２２１ｅはフレーム支持レッグ２１１ａ、２１１ｂより内側に突出し、フレーム９ｂ’の両側縁部に接触する。ジョイントボディ２１１の上面には長手方向の両側縁部で前記スナップ要素２１３が形成されている。スナップ要素２１３はジョイントボディ２１１の上面で外側へ若干突出するクローまたはフックの形状を有する。図示された実施例においては、フレーム支持突起２１２とスナップ要素２１３はジョイントボディ２１１の一側縁部に２個ずつ設けられている。他の実施例においては、異なる数のフレーム支持突起２１２とスナップ要素２１３がジョイントボディ２１１に備えられることもできる。ジョイントボディ２１１の下面には上側で窪んだ溝またはリセス２１１ｃが形成される。このような溝またはリセス２１１ｃはフレーム９ｂ’に嵌められたワイピングストリップ９ａ’の上方部分が置かれることができる空間として機能する。
【０１１２】
図３６はブラケットの斜視図である。ブラケット２２０はジョイント２１０上に配置されてジョイント２１０にスナップ結合により装着される。
【０１１３】
一実施例として、ブラケット２２０はジョイント２１０を覆うのに十分な大きさの基部２２１と、基部２２１上に垂直に形成された一対の垂直壁部２２２ａ、２２２ｂと、垂直壁部２２２ａ、２２２ｂの上部に位置したピボット軸２２３と、ピボット軸２２３に隣接するように垂直壁部２２２ａ、２２２ｂのそれぞれに形成されたベアリングノッチ２２４ａ、２２４ｂとを有する。
【０１１４】
ピボット軸２２３は、フラットワイパーブレード９’とワイパーアーム１、１’、２、３、４、５の組立体でピボット中心として作用する。ピボット軸２２３は垂直壁部２２２ａ、２２２ｂの上部にフレーム９ｂ’の長手方向にほぼ直交するように形成されている。ピボット軸２２３は中空で形成され、これを貫通するピボットボア２２３ａを限定している。ピボット軸２２３の一端２２３ｂは開放されており、他端２２３ｃは閉鎖されている。ピボットボア２２３ａは第４の結合要素４０を末端部に備えたワイパーアーム４との連結に関与する。ピボット軸２２３の両端部２２３ｂ、２２３ｃは垂直壁部２２２ａ、２２２ｂの外側に若干突出している。ピボット軸２２３の両端部にはアダプタ２３０との装着を容易にするために内側に傾斜した傾斜面２２３ｄがそれぞれ形成されている。
【０１１５】
図３７はブラケットの内側を示す斜視図である。図３８はジョイントとブラケットの組立体を示した斜視図である。
【０１１６】
図３６〜図３８を参照すれば、ブラケット２２０はブラケット２２０がジョイント２１０に結合する時にブラケット２２０の結合位置を限定する位置限定要素を有する。前記位置限定要素として、ブラケット２２０の基部２２１の両側縁部の中間には切欠部２２１ａがそれぞれ形成されている。切欠部２２１ａはジョイントボディ２１１の両側縁部に形成された整合突起２１５ａ、２１５ｂに対応する形状を有する。また、基部２２１の下部には長手方向に沿って溝またはリセス２２１ｃが形成されている。リセス２２１ｃはジョイントボディ２１１の溝またはリセス２１１ｃの形状と一致する。リセス２２１ｃはフレーム９ｂ’の上に出るようになるワイピングストリップ９ａ’の一部が置かれる空間として機能する。基部２２１の下端の両縁部には加圧突起２２１ｅが形成されている。ブラケット２２０がジョイント２１０に装着されれば、加圧突起２２１ｅはジョイントボディ２１１の孔２１４ａを通じてフレーム支持レッグ２１１ａ、２１１ｂより内側に突出し、フレーム９ｂ’とジョイント２１０との間の締まばめを補強する。切欠部２２１ａの両側にジョイント２１０のスナップ要素２１３とスナップ結合するスナップ通孔２２５が形成されている。従って、ジョイント２１０のスナップ要素２１３がスナップ通孔２２５にスナップ結合し、ブラケット２２０がジョイント２１０上に装着される。ブラケット２２０とジョイント２１０が結合する時、基部２２１の下面とジョイントボディ２１１の下面はほぼ同一平面に置かれるように、整合突起２１５ａ、２１５ｂと切欠部２２１ａが位置している。
【０１１７】
ベアリングノッチ２２４ａ、２２４ｂは図示された実施例のように各垂直壁部２２２ａ、２２２ｂの上側縁部からほぼ半円形で切り欠かれている。ベアリングノッチ２２４ａ、２２４ｂには第５の結合要素５０のピン５１が支えられることができる。他の実施例として、ピボット軸２２３後方の垂直壁部２２２ａ、２２２ｂが低く形成される場合、ベアリングノッチは省略され得る。
【０１１８】
図３９はアダプタの斜視図であり、図４０はアダプタの内側を示す斜視図である。図４１及び図４２はそれぞれアダプタの平面図及び側面図である。
【０１１９】
図３９〜図４２を参照すれば、一実施例として、アダプタ２３０は一対の側壁部２３１、２３２と、側壁部２３１、２３２を互いに連結している第１〜第４の連結部２３３ａ、２３３ｂ、２３３ｃ、２３３ｄとを備える。側壁部２３１、２３２間にピボット軸２２３を備えるブラケット２２０の一部が置かれる。また、ブラケット２２０の基部２２１の前方に上方に突出したリッジ部２２１ｄは各側壁部２３１、２３２の前方部分の間に置かれることができ、Ｕ字状で折り曲げられた第４の連結部２３３ｄは側壁部２３１、２３２の後方部分の間に置かれることができる。リッジ部２２１ｄと第４の連結部２３３ｄにより、アダプタ２３０がブラケット２２０に装着された状態でアダプタ２３０がピボット軸２２３に対して横に揺動するのが防止できる。
【０１２０】
各側壁部２３１、２３２にはピボット軸２２３の両端部２２３ｂ、２２３ｃがそれぞれ嵌合される嵌合孔２３４ａ、２３４ｂが空けられている。側壁部２３１、２３２の内面間の距離はブラケット２２０の垂直壁部２２２ａ、２２２ｂの外面間の距離より若干大きい。また、各側壁部２３１、２３２の内面間の距離は第１の結合要素１０、１０’の舌部１３、１３’と第２の結合要素２０のフック部２１の幅を十分に収容するように定められている。アダプタ２３０がブラケット２２０に装着される時、ピボット軸２２３はその両端部の傾斜面２２３ｄで側壁部２３１、２３２の下端と接触するようになる。引き続きアダプタ２３０をブラケット２２０に押すと、側壁部２３１、２３２がアダプタ２３０の外側に弾性的に若干撓り、ピボット軸２２３の両端部が嵌合孔２３４ａ、２３４ｂ内に完全に進入すれば再び弾性的に戻ることにより、ピボット軸２２３の両端部と各嵌合孔２３４ａ、２３４ｂは嵌合される。アダプタ２３０がブラケット２２０に装着される時、側壁部２３１、２３２の外面とピボット軸２２３の両端部の外側縁部はほぼ同一平面に置かれる。
【０１２１】
このように、アダプタ２３０はブラケット２２０の上方から押してスナップ結合及び嵌合によりブラケット２２０に装着される。ピボット軸２２３がフレーム９ｂ’に直交するように配置されており、アダプタ２３０にはワイパーアームがピボット軸２２３に垂直な方向で結合する。従って、フラットワイパーブレード９’とワイパーアーム１、１’、２、３、４、５とが連結された時、両者はピボット軸２２３を中心として時計方向または反時計方向に所定範囲内で相対回転可能である。従って、ワイパーアーム１、１’、２、３、４、５によりフラットワイパーブレード９’がウインドシールドの表面上で移動する時、フラットワイパーブレード９’はウインドシールド表面の曲率に順応しながらウインドシールドに接触することができる。
【０１２２】
第１の連結部２３３ａは嵌合孔２３４ａ、２３４ｂの前方に位置する。第１の連結部２３３ａの前方部分は第２の結合要素２０のフック部２１の内面２１ｂが安着するようにラウンドされている。第２の連結部２３３ｂは嵌合孔２３４ａ、２３４ｂの後方に位置する。第３の連結部２３３ｃは側壁部２３１、２３２の前方端部に位置する。第３の連結部２３３ｃの付近の各側壁部２３１、２３２に後述するカバー２４０の回動結合のための回動孔２３１ｃ、２３２ｃが形成されている。第４の連結部２３３ｄは側壁部２３１、２３２の後方端部にほぼＵ字状で形成されている。従って、第４の連結部２３３ｄの両側外面と側壁部２３１、２３２の内面間に空間が形成され、アダプタ２３０がブラケット２２０に装着される時、ブラケット２２０の垂直壁部２２２ａ、２２２ｂの後方一部は前記空間に挿入できる。
【０１２３】
第２の実施例において、前記第１のロッキング装置は第１の結合要素１０、１０’の舌部１３、１３’に弾性的に係合する第１のロッキング突起２３５ａ、２３５ｂと、第１の結合要素１０、１０’の凹部１４ａ、１４ｂ、１４ａ’、1４ｂ’に嵌められるピボット突起２３５ｃとを備える。
【０１２４】
第１のロッキング突起２３５ａ、２３５ｂは各側壁部２３１、２３２の上端内面上に第１の連結部２３３ａ及び第３の連結部２３３ｃの間に楔形状で突出している。また、側壁部２３１、２３２の第１及び第３の連結部２３３ａ、２３３ｃの間の部分は弾性的に撓るように構成されているので、第１のロッキング突起２３５ａ、２３５ｂが位置する部分はアダプタ２３０の内外側で弾性変形可能である。ピボット突起２３５ｃは側壁部２３２の後方端部に形成されている。ピボット突起２３５ｃは第１の結合要素１０、１０’の側板１２ｂ、１２ｂ’にそれぞれ形成された凹部１４ｂ、１４ｂ’に挿入されてその表面に接触するように形成されている。ピボット突起２３５ｃは角が丸い三角形を取り得る。図示された実施例においては、ピボット突起２３５ｃが側壁部２３２にのみ形成されているが、側壁部２３１の後方端部にもピボット突起が設けられることもできる。
【０１２５】
第２の実施例において、前記第２のロッキング装置は各側壁部２３１、２３２の内面に第１の連結部２３３ａに隣接するように形成された一対の第２のロッキング突起２３６ａ、２３６ｂを備える。
【０１２６】
第２のロッキング突起２３６ａ、２３６ｂは第２の結合要素２０のフック部２１の挿入が容易で脱落が難しいように楔形状を有し、その傾斜面はアダプタ２３０の前方に向かってその係止面はアダプタ２３０の後方に向かうように配置される。第２のロッキング突起２３６ａ、２３６ｂの係止面と第１の連結部２３３ａの前方表面の間の間隙はほぼフック部２１の厚さに対応することができる。また、第２のロッキング突起２３６ａ、２３６ｂはアダプタ２３０の内外側で弾性変形するように構成される。このために、一実施例として、各側壁部２３１、２３２が弾性変形可能な一対のクランピングバー２３１ａ、２３２ａを備え、第２のロッキング突起２３６ａ、２３６ｂはクランピングバー２３１ａ、２３２ａの対面する面にそれぞれ形成されている。
【０１２７】
図示された実施例においては、クランピングバー２３１ａ、２３２ａは側壁部２３１、２３２の上端付近の一部が例えば側壁部２３１、２３２の上端に平行に切り欠かれて形成される。また、クランピングバー２３１ａ、２３２ａの後方の側壁部２３１、２３２上端にノッチ２３１ｂ、２３２ｂが形成されており、クランピングバー２３１ａ、２３２ａはより容易に弾性的に曲がることができる。クランピングバー２３１ａ、２３２ａの前方自由端部には後述するカバー２４０の支持板２４４ａ、２４４ｂと接触可能な段差部２３１ｆ、２３２ｆがそれぞれ形成されている。
【０１２８】
カバー２４０の内側が図４３に示されている。図４４はカバーの側面図である。図４５はジョイント、ブラケット、アダプタ及びカバーの組立体を示す斜視図である。
【０１２９】
カバー２４０は、前記第１及び第２のロッキング装置のロッキング機能を助けて連結後にワイパーアーム１、１’、２の末端部一部とアダプタ２３０とを覆って遮るように機能する。図４３及び図４４を参照すれば、一実施例として、カバー２４０はほぼＵ字状断面形状を有し、側壁部２３１、２３２の上部に置かれる上板２４１ｃと、側壁部２３１、２３２とそれぞれ対面する一対の側板２４１ａ、２４１ｂを有する。カバー２４０の一端部、即ち側板２４１ａ、２４１ｂの前方端部にはカバー２４０をアダプタ２３０に回動可能に結合させる回動ピン２４３ａ、２４３ｂがカバー２４０の内側に突出している。回動ピン２４３ａ、２４３ｂはアダプタ２３０の第３の連結部２３３ｃ付近に形成された回動孔２３１ｃ、２３２ｃにそれぞれ嵌合される。嵌合を容易にするために、回動ピン２４３ａ、２４３ｂの下側に傾斜面が形成されている。回動ピン２４３ａ、２４３ｂを側壁部２３１、２３２の前方端部に接触させてカバー２４０をアダプタ２３０の内側に押し、カバー２４０は簡単にアダプタ２３０に結合できる。
【０１３０】
連結装置２００は、カバー２４０をアダプタ２３０にロッキングさせるためのカバーロッキング装置を備える。図示された実施例において、前記カバーロッキング装置はカバー２４０の各側板２４１ｂ、２４１ｃの下端に窪んだクローシート２４２ａと、カバー２４０がアダプタ２３０に回動された時にクローシート２４２ａとスナップ結合するように側壁部２３１、２３２にそれぞれ提供されたロッキングクロー２３１ｅ、２３２ｅとを備える。
【０１３１】
ロッキングクロー２３１ｅ、２３２ｅは各側壁部２３１、２３２の外面に形成されたストッパウォール２３１ｄ、２３２ｄから側壁部２３１、２３２の前方に延長されている。ロッキングクロー２３１ｅ、２３２ｅをカバー２４０の側板２４１ｂ、２４１ｃの下端を過ぎてクローシート２４２ａにスナップ結合することによってカバー２４０はアダプタ２３０に固定される。ロッキングクロー２３１ｅ、２３２ｅとの容易な結合のために、側板２４１ｂ、２４１ｃの下端にはクローシート２４２ａに整列された傾斜面が形成されている。クローシート２４２ａとロッキングクロー２３１ｅ、２３２ｅの結合位置はカバー２４０の上板２４１ｃの下面と側壁部２３１、２３２の上面との間に第１の結合要素１０、１０’の上板１１、１１’または第２の結合要素２０のフック部２１の後方部分が遊びなく介在するように定められることができる。
【０１３２】
カバー２４０は第１の結合要素１０、１０’と第２の結合要素２０が側壁部２３１、２３２にロッキングされる時に第１のロッキング突起２３５ａ、２３５ｂと第２のロッキング突起２３６ａ、２３６ｂが側壁部２３１、２３２の外側に移動するのを阻止してワイパーアーム１、１’、２とのロッキングを補完する要素をさらに備える。一実施例として、前記要素は例えばカバー２４０に設けられてカバー２４０がアダプタ２３０に結合すれば前記補完機能を行うように構成される。図示された実施例において、前記要素はカバー２４０の側板２４１ａ、２４１ｂの内面に形成されている一対の支持板２４４ａ、２４４ｂを備える。支持板２４４ａ、２４４ｂ間の距離は第１のロッキング突起２３５ａ、２３５ｂが位置する側壁部２３１、２３２部分の外面間の距離と段差部２３１ｆ、２３２ｆとの間の距離より若干大きい。支持板２４４ａ、２４４ｂはカバー２４０がアダプタ２３０に結合すれば第１のロッキング突起２３５ａ、２３５ｂが位置する側壁部２３１、２３２の外面とクランピングバー２３１ａ、２３２ａに形成された段差部２３１ｆ、２３２ｆに渡るように形成されている。
【０１３３】
また、カバー２４０はカバー２４０がアダプタ２３０にロッキングされる時、第１の結合要素の側板１２ａ、１２ｂ、１２ａ’、１２ｂ’の外面と若干の遊びをおいて位置できる支持突起を各側板２４１ａ、２４１ｂの内面に備えることができる
第２の実施例において、前記第３のロッキング装置は第３の結合要素３０に備えられた一対の側板３２ａ、３２ｂの内面にスライドして内面と嵌合されるスライドレール２３７ａ、２３７ｂと、側板３２ａ、３２ｂの前方端部と接触するように配置されたストッパウォール２３１ｄ、２３２ｄと、側板３２ｂの後方端部に弾性的にラッチングされるラッチングレバー２３７ｅとを備える。
【０１３４】
図示された実施例において、スライドレール２３７ａ、２３７ｂは各側壁部２３１、２３２の下端に長手方向に沿って突出形成されている。また、前記第３のロッキング装置はアダプタ２３０の第３の結合要素３０内への挿入を限定するストッパ部２３７ｃ、２３７ｄをさらに備える。ストッパ部２３７ｃ、２３７ｄは第３の結合要素の側板３２ａ、３２ｂの下端で内側へそれぞれ突出したストッパ部３３ａ、３３ｂと接触するように形成されている。ストッパ部２３７ｃ、２３７ｄはスライドレール２３７ａ、２３７ｂより短い長さを有し、スライドレール２３７ａ、２３７ｂの下方でスライドレール２３７ａ、２３７ｂの外側に突出している。ラッチングレバー２３７ｅは側壁部２３２の後方端部から延び、側壁部２３２の外側に弾性変形可能である。このために、側壁部２３２の後方端部はピボット突起２３５ｃの下側一部が切り欠かれている。ラッチングレバー２３７ｅはその前方端部がアダプタ２３０が第３の結合要素３０の内部に完全にはめ込まれれば側板３２ｂの後方端部に係合するように位置している。アダプタ２３０と第３の結合要素３０の分離時には、ラッチングレバー２３７ｅを下側に反らしてラッチングレバー２３７ｅを側板３２ｂの後方端部から分離させれば、連結装置２００は第３の結合要素３０から分離できる。
【０１３５】
第２の実施例において、前記第４のロッキング装置は第４の結合要素４０のサイドピン４１が回動可能に嵌合されるピボット軸２２３と第４の結合要素４０のクリップアーム４２がスナップ結合される部分で構成される。図示された実施例において、前記部分は側壁部２３２の外面である。側壁部２３１、２３２の外面間の距離はクリップアーム４２が側壁部２３２の外面にスナップ結合可能なように定められている。
【０１３６】
第２の実施例の連結装置２００は、アダプタ２３０に備えられて第５の結合要素５０とアダプタ２３０との挿入及びスナップ結合によるロッキングを実行するための第５のロッキング装置を備える。一実施例として、前記第５のロッキング装置は第５の結合要素のピン５１を支えるベアリング孔２３８ａ、２３８ｂと、第５の結合要素の環状溝５２に弾性的に係合するラッチ部２３８ｃとを備える。
【０１３７】
図示された実施例において、ベアリング孔２３８ａ、２３８ｂは各側壁部２３１、２３２に嵌合孔２３４ａ、２３４ｂに隣接するように空けられており、ラッチ部２３８ｃは一端で第２の連結部２３３ｂに一体に形成されたラッチングバー２３８ｄに備えられている。ラッチングバー２３８ｄの他端は自由端からなり、ラッチングバー２３８ｄは第２の連結部２３３ｂを中心として弾性変形可能である。ラッチ部２３８ｃは環状溝５２の外周形状に対応するようにラウンドされた接触面を備える。また、ラッチ部２３８ｃはラッチングバー２３８ｄの自由状態でベアリング孔２３８ａ、２３８ｂの領域より内側に置かれるようにラッチングバー２３８ｄに形成されている。このような構造によれば、第５の結合要素５０のピン５１は側壁部２３１のベアリング孔２３８ａを通じて側壁部２３１、２３２間に進入して側壁部２３２のベアリング孔２３８ｂを通じて突出することができる。ピン５１がベアリング孔２３８ａ、２３８ｂを通過する途中、ラッチングバー２３８ｄが弾性変形され、環状溝５２がラッチングバー２３８ｄに到達すればラッチ部２３８ｃが環状溝５２に弾性的に結合する。アダプタ２３０と第５の結合装置の分離時には、ラッチングバー２３８ｄを上側に反らして環状溝５２との結合を解除すれば、ピン５１は側壁部２３１、２３２から分離できる。
【０１３８】
図４６〜図４８は第１の結合要素１０を末端部に備えたワイパーアーム１と連結装置２００のロッキングを例示する斜視図である。図３３、図４６〜図４８を参照してワイパーアーム１とフラットワイパーブレード９’の例示的な連結例を説明する。
【０１３９】
カバー２４０がアダプタ２３０から前方に回動された状態で、アダプタ２３０のピボット突起２３５ｃを対応する第１の結合要素１０の凹部１４ｂに接触させる。ピボット突起２３５ｃが凹部１４ｂに接触した状態で、アダプタ２３０（アダプタ２３０が装着されたフラットワイパーブレード９’）はピボット突起２３５ｃを回動中心として第１の結合要素１０側に回動できる。完全に回動されれば、舌部１３は側壁部２３１、２３２の前方部分の第１のロッキング突起２３５ａ、２３５ｂ間に第１のロッキング突起２３５ａ、２３５ｂによりロッキングされ、上板１１は側壁部２３１、２３２の上部に接触する。このような状態で、カバー２４０をアダプタ２３０側に回動させてクローシート２４２ａとロッキングクロー２３１ｅ、２３２ｅが互いに係合するようにする。そうすると、カバーの上板２４１ｃの下面の一部が第１の結合要素１０の上板１１の上面の一部に接触し、支持板２４４ａ、２４４ｂが第１のロッキング突起２３５ａ、２３５ｂが位置した側壁部２３１、２３２の外面に隣接するようになり、第１のロッキング突起２３５ａ、２３５ｂの外側変形が防止される。このように、フラットワイパーブレード９’は第１の結合要素１０を備えたワイパーアーム１にアダプタ２３０の後方端部でピボット突起２３５ｃにより第１の結合要素１０に支持されて前方端部で第１のロッキング突起２３５ａ、２３５ｂによりロッキングされて連結される。
【０１４０】
図４９〜図５１は、もう一つの第１の結合要素１０’を末端部に備えたワイパーアーム１’と連結装置２００のロッキングを例示する。
【０１４１】
カバー２４０がアダプタ２３０から前方に回動された状態で、凹部１４ｂ’にピボット突起２３５ｃを嵌める。引き続き、連結装置２００が装着されたフラットワイパーブレード９’を第１の結合要素１０’側に回動させ、第１の結合要素１０’とアダプタ２３０を互いに対応する部分同士接触させる。その後、カバー２４０を再びアダプタ２３０側に回動させて、ロッキングを完了する。第１の結合要素１０’を備えたワイパーアーム１’は上述した第１の結合要素１０の場合と同様の方式で連結装置２００とロッキングされる。
【０１４２】
図５２及び図５３は、第２の結合要素２０を末端部に備えたワイパーアーム２と連結装置２００とのロッキングを例示する。
【０１４３】
カバー２４０がアダプタ２３０から前方に回動された状態で、第２の結合要素の延長部２２をアダプタ２３０のクランピングバー２３１ａ、２３２ａの間を通じてアダプタ２３０内側に挿入する。挿入途中、クランピングバー２３１ａ、２３２ａはフック部２１と第２のロッキング突起２３６ａ、２３６ｂが接触しながら外側に曲がり、フック部２１が第２のロッキング突起２３６ａ、２３６ｂを過ぎれば再び戻って第２のロッキング突起２３６ａ、２３６ｂがフック部２１の外面２１ａにかかる。この時、フック部２１の内面２１ｂは第１の連結部２３３ａの外面に接触し、延長部２２は第１の連結部２３３ａとピボット軸２２３の下方に置かれる。
【０１４４】
アダプタ２３０が第２のロッキング装置（クランピングバー２３１ａ、２３２ａと第２のロッキング突起２３６ａ、２３６ｂ）によりフック部２１にロッキングされた状態で、カバー２４０をアダプタ２３０側に回動して閉鎖する。そうすると、クローシート２４２ａとロッキングクロー２３１ｅ、２３２ｅが係り合いながら、支持板２４４ａ、２４４ｂがクランピングバーの段差部２３１ｆ、２３２ｆに位置し、クランピングバー２３１ａ、２３２ａが固定されてアダプタ２３０とワイパーアーム１のロッキングが完了する。
【０１４５】
図５４及び図５５は第３の結合要素３０を末端部に備えたワイパーアーム３と連結装置２００とのロッキングを例示する。
【０１４６】
図５４に示した通り、フラットワイパーブレード９’に装着されたアダプタ２３０をその後方端部から第３の結合要素３０内に挿入する。そうすると、スライドレール２３７ａ、２３７ｂが側板３２ａ、３２ｂの内面にそれぞれスライド接触しながらアダプタ２３０が第３の結合要素３０内に嵌められる。側板３２ａ、３２ｂの前方端部がストッパウォール２３１ｄ、２３２ｄに接触し、ストッパ部３３ａ、３３ｂがスライドレール２３７ａ、２３７ｂのストッパ部２３７ｃ、２３７ｄに接触し、ラッチングレバー２３７ｅが側板３２ｂの後方端部にかかれば、嵌合ロッキングが完了する。側板３２ｂの後方端部にラッチングレバー２３７ｅがかかるようになるので、第３の結合要素３０とアダプタ２３０の分離が防止される。
【０１４７】
図５６及び図５７は第４の結合要素４０を末端部に備えたワイパーアーム４と連結装置２００のロッキングを例示する。
【０１４８】
図５６に示した通り、アダプタ２３０が装着されたフラットワイパーブレード９’をピボット軸２２３にサイドピン４１が嵌められる方式でワイパーアーム４に結合する。このような嵌込はサイドピン４１の基部付近の第４の結合要素４０の部分が側壁部２３１の外面に接触すれば完了する。サイドピン４１がピボット軸２２３に嵌められた状態でアダプタ２３０（またはフラットワイパーブレード９’）はサイドピン４１を中心として回動可能である。従って、引き続き、アダプタ２３０をワイパーアーム４側に回動させてクリップアーム４２のストッパ部４２ａを側壁部２３１、２３２の上部に接触させる。そうすると、クリップ部４２ｂが側壁部２３２の外面にスナップ結合する。図５７に示された状態で、サイドピン４１はピボット軸２２３に嵌められており、クリップ部４２ａは側壁部２３２の外面に弾性的に結合しているので、第４の結合要素４０と連結装置２００との間の嵌込及びスナップロッキングが達成される。
【０１４９】
図５８は、第５の結合要素５０を末端部に備えたワイパーアーム５と連結装置２００のロッキングを例示する。
【０１５０】
アダプタ２３０が装着されたフラットワイパーブレード９’を側壁部２３１、２３２のベアリング孔２３８ａ、２３８ｂにピン５１を挿入させる方式でワイパーアーム５に結合する。ピン５１が挿入される途中、第５のロッキング装置のラッチングバー２３８ｄが外側に曲がってピン５１の挿入が完了すればラッチ部２３８ｃが環状溝５２にラッチングバー２３８ｄにより結合する。ピン５１とベアリング孔２３８ａ、２３８bの結合及び環状溝５２とラッチ部２３８ｃの結合により、ワイパーアーム５とアダプタ２３０との挿入及びスナップロッキングが達成される。
【０１５１】
以上で説明した本発明は前述した実施例及び添付された図面により限定されるのでなく、本発明の技術的思想を逸脱しない範囲内で様々な置換、変形及び変更が可能であるというのは本発明の属する分野で通常の知識を有する者において明白なことである。
【産業上の利用可能性】
【０１５２】
本発明は、フラットワイパーブレードを多様な類型のワイパーアームに分離可能に連結するのに利用することができる。
【符号の説明】
【０１５３】
１、１’：トップロックワイパーアーム
２：フックワイパーアーム
３：バヨネットワイパーアーム
４：サイドロックワイパーアーム
５：ピンワイパーアーム
９：フラットワイパーブレード
９ａ：ワイピングストリップ
９ｂ：フレーム
１００：連結装置
１１０：ジョイント
１１０ａ：ジョイントの第１の半部
１１０ｂ：ジョイントの第２の半部
１１８ａ、１１８ｂ：フレーム支持レッグ
１１８ｃ：フレーム支持突起
１２０：ブラケット
１２２ａ、１２２ｂ：垂直壁部
１２３：ピボット軸
１２３ａ：ピボットボア
１３０：アダプタ
１３１、１３２：側壁部
１３１ａ、１３２ａ：クランピングバー
１３１ｄ、１３２ｄ：ロッキングバー
１３３ａ：第１の連結部
１３３ｂ：第２の連結部
１３４ａ、１３４ｂ：嵌合孔
１３５ｃ、１３５ｄ：ピボット突起
１３６ａ、１３６ｂ：第２のロッキング突起
１３７ａ、１３７ｂ：スライドレール
１３７ｅ：ラッチ突起
１４０：カバー
１４２ａ、１４２ｂ：ラッチ突起
１４４ａ、１４４ｂ：支持突起
２００：連結装置
２１０：ジョイント
２１１：ジョイントボディ
２１１ａ、２１１ｂ：フレーム支持レッグ
２１２：フレーム支持突起
２１３：スナップ要素
２２０：ブラケット
２２２ａ、２２２ｂ：垂直壁部
２２３：ピボット軸
２２３ａ：ピボットボア
２３０：アダプタ
２３１、２３２：側壁部
２３１ａ、２３２ａ：クランピングバー
２３１ｅ、２３２ｅ：ロッキングクロー
２３３ａ：第１の連結部
２３３ｂ：第２の連結部
２３４ａ、２３４ｂ：嵌合孔
２３５ａ、２３５ｂ：第１のロッキング突起
２３５ｃ：ピボット突起
２３６ａ、２３６ｂ：第２のロッキング突起
２３７ａ、２３７ｂ：スライドレール
２３７ｅ：ラッチングレバー
２３８ａ、２３８ｂ：ベアリング孔
２３８ｃ：ラッチ部
２３８ｄ：ラッチングバー
２４０：カバー
２４２ａ、２４２ｂ：クローシート
２４４ａ、２４４ｂ：支持板
【図１】
2010018273.tif 000003
【図２】
2010018273.tif 000004
【図３】
2010018273.tif 000005
【図４】
2010018273.tif 000006
【図５】
2010018273.tif 000007
【図６】
2010018273.tif 000008
【図７】
2010018273.tif 000009
【図８】
2010018273.tif 000010
【図９】
2010018273.tif 000011
【図１０】
2010018273.tif 000012
【図１１】
2010018273.tif 000013
【図１２】
2010018273.tif 000014
【図１３】
2010018273.tif 000015
【図１４】
2010018273.tif 000016
【図１５】
2010018273.tif 000017
【図１６】
2010018273.tif 000018
【図１７】
2010018273.tif 000019
【図１８】
2010018273.tif 000020
【図１９】
2010018273.tif 000021
【図２０】
2010018273.tif 000022
【図２１】
2010018273.tif 000023
【図２２】
2010018273.tif 000024
【図２３】
2010018273.tif 000025
【図２４】
2010018273.tif 000026
【図２５】
2010018273.tif 000027
【図２６】
2010018273.tif 000028
【図２７】
2010018273.tif 000029
【図２８】
2010018273.tif 000030
【図２９】
2010018273.tif 000031
【図３０】
2010018273.tif 000032
【図３１】
2010018273.tif 000033
【図３２】
2010018273.tif 000034
【図３３】
2010018273.tif 000035
【図３４】
2010018273.tif 000036
【図３５】
2010018273.tif 000037
【図３６】
2010018273.tif 000038
【図３７】
2010018273.tif 000039
【図３８】
2010018273.tif 000040
【図３９】
2010018273.tif 000041
【図４０】
2010018273.tif 000042
【図４１】
2010018273.tif 000043
【図４２】
2010018273.tif 000044
【図４３】
2010018273.tif 000045
【図４４】
2010018273.tif 000046
【図４５】
2010018273.tif 000047
【図４６】
2010018273.tif 000048
【図４７】
2010018273.tif 000049
【図４８】
2010018273.tif 000050
【図４９】
2010018273.tif 000051
【図５０】
2010018273.tif 000052
【図５１】
2010018273.tif 000053
【図５２】
2010018273.tif 000054
【図５３】
2010018273.tif 000055
【図５４】
2010018273.tif 000056
【図５５】
2010018273.tif 000057
【図５６】
2010018273.tif 000058
【図５７】
2010018273.tif 000059
【図５８】
2010018273.tif 000060